(57)【特許請求の範囲】
【請求項１】
所定のネットワークを介して端末と接続された型式失効消防用品判別装置であって、
所定の特定用途防火対象物の種別と面積とを記憶している特定用途防火対象物用種別・面積記憶手段と；
特定用途防火対象物に設置されると、型式承認の効力を失う消防用品に付与されている検定番号を記憶している検定番号記憶手段と；
上記端末に設けられた、所定の防火対象物の種別と面積と、所定の検定番号とを入力する種別・面積・検定番号入力手段によって、上記所定のネットワークを介して入力された所定の防火対象物の種別と面積との組合せが、上記特定用途防火対象物用種別・面積記憶手段が記憶している種別と面積との組合せに含まれているか否かによって、上記入力された種別と面積との組合せが、特定用途防火対象物であるか否かを判別する特定用途防火対象物判別手段と；
上記特定用途防火対象物判別手段によって、上記入力された種別と面積との組合せが、上記特定用途防火対象物であると判別されたときに、上記種別・面積・検定番号入力手段によって、上記所定のネットワークを介して入力された所定の検定番号が、上記検定番号記憶手段に記憶されている検定番号に含まれているか否かによって、上記入力された検定番号に対応する消防用品の型式承認が失効するか否かを判別する型式承認失効判別手段と；
上記型式承認失効判別手段が判別した結果を、上記所定のネットワークを介して上記端末に出力する判別結果出力手段と；
を有することを特徴とする型式失効消防用品判別装置。
【発明の詳細な説明】
【０００１】
【発明の属する技術分野】
本発明は、型式失効消防用品判別装置、法令検索装置、消防用品の有効期限算出装置、消防用品の点検時期算出装置、これらの装置の制御方法、およびプログラムに関する。
【０００２】
【従来の技術】
既存の消防用品が型式失効になっているか否かを調査する場合、たとえば、財団法人消防用品安全センターが発行する文献「消防用機械器具等の型式失効一覧」を参照し、型式失効になっているか否かを調査しなければならない。
【０００３】
ここで、「型式失効」とは、消防法第２１条の５に基づいて受けている消防用品の型式承認が効力を失うことである。
【０００４】
また、消防用品が型式失効するためには、この消防用品が消防法施行令別表一に規定されている特定用途防火対象物に設置されていることを要する。そして、型式失効した消防用品は、法規制の対象となり、型式失効した消防用品を代替品（型式承認された消防用品）と交換しなければならない。
【０００５】
なお、消防用品とは、消防の用に供する機械器具、若しくは設備、消火薬剤または防火塗料、防火液その他の防火薬品である。
【０００６】
また、建物を設計する者や管理する者は、この建物に消防用品を設置する際の根拠となる消防法、消防法に関する法令を調査する場合、消防法、消防法に関する法令が記載された書籍を読み、該当条文を探し出している。
【０００７】
また、消防法等の法令によって、消防用品の設置が義務付けられている建物のオーナーや管理者は、消防署に必ず届出を行い、設置されている消防用品の保守点検を、定期的に行わなければならない。さらに、消防用用品の失効制度や消防法等の法令の改正、建物の用途変更に応じて、上記建物に新たな消防用品を設置し、また、上記建物に設置されている消防用品を変更し、さらに、上記建物に設置されている消防用品が不要になる場合が考えられる。
【０００８】
上述のような状況において、建物のオーナー（所有者）や管理者は、消防用品の点検を専門的に行っている業者等から情報を得たり、雑多な資料を自ら調査することによって、上記建物に設置されている消防用品の届け出、定期点検、上記建物への新たな消防用品の設置、上記建物に設置されている消防用品の変更に関する情報を得ている。
【０００９】
【発明が解決しようとする課題】
ところで、特定用途防火対象物に設置されている消防用品が、型式失効しているか否かを調査する場合、上記特定用途防火対象物のオーナーや管理者は、たとえば、「消防用機械器具等の型式失効一覧」という書籍を開いて、該当箇所を探し出さなければならず、迅速に調査をすることができないという問題がある。
【００１０】
また、特定用途防火対象物に設置されている消防用品が、消防法、消防法に関する法令等の改正によって型式失効することもある。この場合、上記特定用途防火対象物のオーナーや管理者は、たとえば、「消防用機械器具等の型式失効一覧」という書籍（上記消防法等の改正に伴って改定された書籍）を参照して、上記既存の消防用品が、失効機器に該当するか否を調査しなければならない。
【００１１】
上記改定された書籍の発行を待って、発行後この書籍を購入し、調査するとなると、迅速に調査できないという問題がある。
【００１２】
なお、特定用途防火対象物ではない建物に設置されている消防用品であっても、上記建物の用途が変更され、上記建物が特定用途防火対象物になると、上記消防用品が型式失効し、法規制の対象となり、上記消防用品を代替品と交換しなければならないことがあるので、上記変更に先だって、上記消防用品が型式失効するおそれがあるか否かを調査する場合がある。
【００１３】
また、消防用品を設計する者や管理する者は、消防用品の設計や消防用品の設置根拠となる消防法、消防法に関する法令、各種規制、各種指導等を調査しなければならない。さらに、自治体ごとに制定または通知される場合もあり、上記各種規制、各種指導等は、消防用品が設置される場所によって異なる。
【００１４】
ところで、消防法、消防法に関する法令、上記各種規制、上記各種指導等を、見やすいように、体系的、機能的に整理し、まとめあげた書籍が存在しないので、消防用品を設計する者や管理する者は、いくつかの書籍や書類を探し出し、これらの書籍を頼りに、消防用品の設置場所等を勘案しながら、該当法令等を調査しなければならず、消防用品の設計や消防用品の設置根拠となる法令の調査を迅速に行うことができないという問題がある。
【００１５】
また、建物のオーナーや管理者は、この建物に設置されている消防用品の管理情報を得ようする場合、消防用品の点検を専門的に行っている業者等から情報を得たり、または、多くの資料（法令、ガイドライン等）を自ら調査することによって情報を得ている。
【００１６】
したがって、建物のオーナーや管理者は、上記建物に設置されている消防用品の管理情報を迅速に得ることができないという問題がある。
【００１７】
なお、上記管理情報として、上記建物に設置されている消防用品の届け出に関する情報、消防用品についての定期点検に関する情報、上記建物への新たな消防用品の設置に関する情報、上記建物に設置されている消防用品の変更に関する情報等がある。
【００１８】
本発明は、消防用品に関する調査を迅速に行うことができる型式失効消防用品判別装置、法令検索装置、消防用品の有効期限算出装置、型式失効消防用品判別方法、法令検索方法、消防用品の有効期限算出方法、およびプログラムを提供することを目的とする。
【００１９】
【課題を解決するための手段】
本発明は、所定のネットワークを介して端末と接続された型式失効消防用品判別装置であって、所定の特定用途防火対象物の種別と面積とを記憶している特定用途防火対象物用種別・面積記憶手段と、特定用途防火対象物に設置されると、型式承認の効力を失う消防用品に付与されている検定番号を記憶している検定番号記憶手段と、上記端末に設けられた、所定の防火対象物の種別と面積と、所定の検定番号とを入力する種別・面積・検定番号入力手段によって、上記所定のネットワークを介して入力された所定の防火対象物の種別と面積との組合せが、上記特定用途防火対象物用種別・面積記憶手段が記憶している種別と面積との組合せに含まれているか否かによって、上記入力された種別と面積との組合せが、特定用途防火対象物であるか否かを判別する特定用途防火対象物判別手段と、上記特定用途防火対象物判別手段によって、上記入力された種別と面積との組合せが、上記特定用途防火対象物であると判別されたときに、上記種別・面積・検定番号入力手段によって、上記所定のネットワークを介して入力された所定の検定番号が、上記検定番号記憶手段に記憶されている検定番号に含まれているか否かによって、上記入力された検定番号に対応する消防用品の型式承認が失効するか否かを判別する型式承認失効判別手段と、上記型式承認失効判別手段が判別した結果を、上記所定のネットワークを介して上記端末に出力する判別結果出力手段とを有することを特徴とする型式失効消防用品判別装置である。
【００２０】
【発明の実施の形態および実施例】
［第１の実施例］
図１は、本発明の第１の実施例である型式失効消防用品判別システムＤＳ１の構成を示すブロック図である。
【００２１】
図２は、所定の検定番号を付与されている消防用品が、型式失効しているか否か等の情報を表わしているテーブルＴＢ１０１を示す図である。
【００２２】
図３は、建物が特定用途防火対象物である条件を表わしているテーブルＴＢ１０２を示す図である。
【００２３】
型式失効消防用品判別システムＤＳ１は、型式失効消防用品判別装置１００と端末ＰＣ１、ＰＣ２等と、これらを互いに接続するインターネットＩＮＴとによって構成されている。
【００２４】
端末ＰＣ１、ＰＣ２等は、インターネットＩＮＴを介して、ユーザが型式失効消防用品判別装置１００にアクセスできるようになっている。
【００２５】
型式失効消防用品判別装置１００は、型式失効消防用品判別装置１００全体の制御を行うＣＰＵ１０１、ＣＰＵ１０１が動作する際にワークエリアとして使用されるＲＡＭ１０２、ＣＰＵ１０１の動作プログラムを格納しているＲＯＭ１０３、消防用品に付与されている検定番号と、この検定番号に対応する消防用品が型式失効しているか否かを示す情報等を記憶している検定番号記憶部１０４、特定用途防火対象物の種別と面積とを記憶している特定用途防火対象物用種別・面積記憶部１０５、キーボード（ＫＢ）１０６、マウス１０７、ＬＣＤ（Ｌｉｑｕｉｄ  Ｃｒｙｓｔａｌ  Ｄｉｓｐｌａｙ）１０８、プリンタ１０９を有し、これらが互いにバス１１１を介して接続されている。
【００２６】
検定番号記憶部１０４は、図２に示すテーブルＴＢ１０１の情報（データベース）を記憶しているものである。
【００２７】
テーブルＴＢ１０１の各行には、消防用品の仕様（名称）、消防用品のメーカー、消防用品の型式、消防用品の検定番号、消防用品の型式失効についての情報、代替品のメーカー、代替品の型式、代替品の検定番号、代替品の価格が、それぞれ対応づけられて記憶されている。
【００２８】
なお、本願明細書において、「消防用品」とは、消防の用に供する機械器具若しくは設備、消火薬剤または防火塗料、防火液その他の防火薬品である。
【００２９】
また、本願明細書において、「消防用品の型式失効についての情報」とは、特定用途防火対象物に設置されると、型式承認の効力を失う消防用品であることを示す情報である。なお、型式失効については、消防法第２１条の５に規定されている。
【００３０】
また、代替品に交換しなければならない所定の期間の始期が到来したときに、消防用品は型式承認の効力を失う。
【００３１】
また、本願明細書において、「特定用途防火対象物」とは、消防法施行令別表一に掲げられている建物である。
【００３２】
そして、たとえば、テーブルＴＢ１０１の２行目には、消防用品の種類である「複合盤受信機」、上記消防用品のメーカーである「甲株式会社」、上記消防用品の型式である「ＡＢ１」、上記消防用品の検定番号である「第４０〜１号」、上記消防用品が型式失効している旨の情報、上記消防用品の代替品のメーカーである「丙株式会社」、上記消防用品の代替品の型式である「ＷＸ５」、上記消防用品の代替品の検定番号である「第１０〜１１号」、上記消防用品の代替品の価格である「４０，０００円」が、それぞれ対応づけられ記憶されている。
【００３３】
なお、代替機器の価格は、受信機の場合には回線数によって変わるので、図示してはいないが、テーブルＴＢ１０１には、回線数に応じた代替機器の価格も記憶されているものとする。同様に、消防用品によって必要な要因にしたがって記憶されているものとする。
【００３４】
特定用途防火対象物用種別・面積記憶部１０５は、図３に示すテーブルＴＢ１０２の情報（データベース）を記憶しているものである。
【００３５】
テーブルＴＢ１０２の各行には、消防法施行令別表第一に定められている特定用途防火対象物に該当する条件として、建物の種別と、建物の面積とが対応づけられ記憶されている。なお、「建物の種別」とは、建物の種類とその用途とを含む概念である。後述の「防火対象物の種別」も、防火対象物の種類とその用途とを含む概念である。
【００３６】
たとえば、テーブルＴＢ１０２の２行目には、建物の種別である「劇場」と、上記建物が特定用途防火対象物に該当する場合には「３００ｍ2以上」面積を要する旨の情報とが対応づけられて記憶されている。
【００３７】
また、テーブルＴＢ１０１、ＴＢ１０２の内容は、型式失効消防用品判別装置１００に設けられているキーボード１０６、マウス１０７によって書き換えることができるようになっている。
【００３８】
キーボード１０６、マウス１０７は、型式失効消防用品判別装置１００のオペレータが、型式失効消防用品判別装置１００に所定の情報を入力するときに使用するものであり、ＬＣＤ１０８、プリンタ１０９は、型式失効消防用品判別装置１００からオペレータに情報を示すときに使用するものである。
【００３９】
ＲＯＭ１０３は、所定の制御プログラムを格納しているメモリである。この所定の制御プログラムは、所定の特定用途防火対象物の種別と面積とを記憶している特定用途防火対象物用種別・面積記憶部１０５と、特定用途防火対象物に設置されると、型式承認の効力を失う消防用品に付与されている検定番号を記憶している検定番号記憶部１０４と、所定の防火対象物の種別と面積と、所定の検定番号とを入力するキーボード１０６、マウス１０７等とを有する型式失効消防用品判別装置において、キーボード１０６、マウス１０７等を介して入力された所定の防火対象物の種別と面積との組合せが、特定用途防火対象物用種別・面積記憶部１０５が記憶している種別と面積との組合せに含まれており、キーボード１０６、マウス１０７を介して入力された所定の検定番号が、検定番号記憶部１０４に記憶されている検定番号に含まれている場合、上記入力された種別と面積とに対応する防火対象物に設置されている消防用品であって、上記入力された検定番号に対応する消防用品の型式承認が失効すると判別し、この判別した結果をＬＣＤ１０８等が出力する動作を、型式失効消防用品判別装置１００に設けられているＣＰＵ１０１に実行させる制御プログラムである。
【００４０】
インターネットＩＮＴは、ネットワークの例であり、インターネットに代えて、ＬＡＮ、ＷＡＮ等のネットワークを採用することができる。
【００４１】
次に、型式失効消防用品判別装置１００の動作について説明する。
【００４２】
図４、図５は、型式失効消防用品判別装置１００の動作を示すフローチャートである。
【００４３】
図６、図７は、型式失効消防用品判別装置１００が動作する場合、型式失効消防用品判別装置１００に設けられているＬＣＤ１０８に表示される画面を示す図である。
【００４４】
なお、型式失効消防用品判別装置１００へオペレータが情報を入力する場合には、キーボード１０６、マウス１０７が使用され、型式失効消防用品判別装置１００が情報を出力する場合には、ＬＣＤ１０８、プリンタ１０９を介して、オペレータに情報が示されるものとする。
【００４５】
また、ユーザは、端末ＰＣ１、ＰＣ２等を用い、インターネットＩＮＴを介して、型式失効消防用品判別装置１００に、上記オペレータと同様にアクセスできる。そして、上記ユーザは、端末ＰＣ１、ＰＣ２等に設けられているＬＣＤ（図示せず）に表示される画面（ＬＣＤ１０８に表示される画面と同様の画面）によって、型式失効消防用品判別装置１００から情報を得ることができ、端末ＰＣ１、ＰＣ２等に設けられているキーボード等（図示せず）を介して、型式失効消防用品判別装置１００へ情報を入力することができる。
【００４６】
なお、本明細書において、ユーザは、おもに消防用品を利用する建物の所有者、管理者または点検業者等の関係者であり、オペレータは、サービスを提供するサービス業者である。
【００４７】
型式失効消防用品判別装置１００に設けられているＣＰＵ１０１は、防火対象物（建物）の種別と面積との入力を促す画面Ｐ１０１を、ＬＣＤ１０８に表示する（Ｓ１０１）。
【００４８】
続いて、防火対象物の種別と面積とが入力されたか否かを判断し（Ｓ１０２）、種別と面積とが入力された場合（画面Ｐ１０１において、種別と面積とを書き込み、検索ボタンをマウス１０７によって押し下げた（クリックした）場合）、上記入力された種別と面積とに対応する防火対象物が、特定用途防火対象物であるか否かを判断する（Ｓ１０３）。
【００４９】
なお、上記判断は、上記入力された種別と面積との組合せが、テーブルＴＢ１０２に記憶されている種別と面積との組合せに含まれているか否かを判定することによって行われる。
【００５０】
たとえば、上記入力された種別が「劇場」であり、「面積」が２５０ｍ2である場合、面積が２５０ｍ2である上記劇場は、特定用途防火対象物に該当しないことになり、また、上記入力された種別が「旅館」であり、「面積」が５００ｍ2である場合、面積が５００ｍ2である上記旅館は、特定用途防火対象物に該当することになる。
【００５１】
上記入力された種別と面積とに対応する防火対象物が、特定用途防火対象物である場合（Ｓ１０３）、上記特定用途防火対象物に設置され、調査対象である消防用品の検定番号の入力を促す画面Ｐ１０４を、ＬＣＤ１０８に表示する（Ｓ１０４）。なお、画面Ｐ１０４においては複数の消防用品の検定番号を入力できるようになっている。
【００５２】
続いて、検定番号が入力されたか否かを判断し（Ｓ１０５）、検定番号が入力された場合（画面Ｐ１０４において、検定番号を書き込み、検索ボタンをマウス１０７によって押し下げた（クリックした）場合）、上記入力された検定番号と、テーブルＴＢ１０１に記憶されている検定番号とを照合する（Ｓ１０６）。
【００５３】
なお、上記照合は、上記入力された検定番号と同一の検定番号が、テーブルＴＢ１０１に記憶されている検定番号に含まれているか否かを判定することによって行われる。
【００５４】
たとえば、上記入力された検定番号が「第４２〜３号」である場合、この検定番号が付与されている消防用品は、型式失効していることになる。
【００５５】
続いて、上記照合の結果、上記入力された検定番号が付与されている消防用品が型式失効している場合（Ｓ１０６）、上記照合結果を示す画面Ｐ１０７を、ＬＣＤ１０８に表示する（Ｓ１０７）。
【００５６】
なお、画面Ｐ１０７には、ステップＳ１０４において入力された検定番号と、この検定番号が付与されている消防用品が型式失効していることを示す情報とが表示されている。
【００５７】
また、ステップＳ１０４において、複数の検定番号が入力され、これらの一部の検定番号に対応する消防用品が型式失効していない場合、この型式失効していない消防用品も、画面Ｐ１０７に表示される。たとえば、検定番号第１１〜２２号が付与されている消防用品は、型式失効していない。
【００５８】
続いて、ステップＳ１０４において入力された検定番号が付与されている消防用品が型式失効していることに対して、対応をとることが、型式失効消防用品判別装置１００のユーザによって選択されたか否かを判断する（Ｓ１０８）。
【００５９】
そして、対応をとることが選択された場合（画面Ｐ１０７において、失効の対応ボタンをマウス１０７によって押し下げた（クリックした）場合）、どのような対応をとるのかの選択を促す画面Ｐ１０９を、ＬＣＤ１０８に表示する（Ｓ１０９）。
【００６０】
なお、画面Ｐ１０９には、「代替品の見積り」、「営業担当者の訪問」、「資料の請求」が表示されている。
【００６１】
続いて、ユーザによって選択された対応が何であるかを判断し（画面Ｐ１０９において、「代替品の見積り」、「営業担当者の訪問」、「資料の請求」のうちで、いずれのボタンを、マウス１０７によって押し下げた（クリックした）かを判断し）、「代替品の見積り」が選択された場合（Ｓ１０９）、代替品の回線数（消防用品の種類による要因）の入力を促す画面Ｐ１１１を、ＬＣＤ１０８に表示する（Ｓ１１１）。
【００６２】
続いて、上記代替品の回線数が入力されたか否かを判断し（Ｓ１１２）、回線数が入力された場合（画面Ｐ１１１において、回線数を書き込み、「見積」のボタンを、マウス１０７によって押し下げた（クリックした）場合）、上記回線数に応じた代替品の見積りを行う（Ｓ１１３）。なお、この見積は、テーブルＴＢ１０１に記憶されている代替機器の価格を用いて行われる。
【００６３】
続いて、上記見積結果を示す画面Ｐ１１４を、ＬＣＤ１０８に表示する（Ｓ１１４）。なお画面Ｐ１１４において、「他の対応」というボタンが押し下げられた（クリックされた）場合には、ステップＳ１０９に戻り、改めて、どのような対応をとるのかの選択を促す画面Ｐ１０９を、ＬＣＤ１０８に表示する。
【００６４】
ステップＳ１１０において、「資料の請求」が選択された場合（画面Ｐ１０９において、「資料請求」のボタンが、押し下げられた（クリックされた）場合）、カタログ等の資料を送付するために必要な住所、氏名等の入力を促す画面Ｐ１１５を、ＬＣＤ１０８に表示する（Ｓ１１５）。
【００６５】
続いて、氏名、住所の入力がされたか否かを判断する（Ｓ１１６）。なお、氏名、住所に代えてまたは加えて、電話番号、ＦＡＸ番号、Ｅｍａｉｌアドレス等、資料の送付先を特定できる情報を入力するようにしてもよい。
【００６６】
氏名、住所が入力された場合（画面Ｐ１１５において、資料を欲している者の氏名、住所を書き込み、マウスを使って「入力完了」ボタンを押し下げた（クリックした）場合）、上記入力された氏名、住所を詳細には示さない記憶手段に格納する。
【００６７】
上記格納された氏名、住所によって、資料の送付先を、型式失効消防用品判別装置１００のオペレータが知ることができ、このオペレータが上記送付先に資料を送付することによって、資料を欲する者はカタログ等の資料を得ることができる。そして、カタログ等の資料を見ることによって、型式失効している消防用品に対して、上記資料を欲した者が適切な対応をすることができる。
【００６８】
ステップＳ１１０において、「営業担当者の訪問依頼」が選択された場合（画面Ｐ１０９において、「営業担当者の訪問依頼」のボタンが、押し下げられた（クリックされた）場合）、営業担当者が訪問するために必要な住所、氏名、訪問希望月日時等の入力を促す画面Ｐ１１８を、ＬＣＤ１０８に表示する（Ｓ１１８）。
【００６９】
続いて、氏名、住所、訪問希望月日時が入力されたか否かを判断する（Ｓ１１９）。なお、氏名、住所に代えてまたは加えて、電話番号、ＦＡＸ番号、Ｅｍａｉｌアドレス等、資料の送付先を特定できる情報を入力するようにしてもよい。
【００７０】
氏名、住所、訪問希望月日時が入力された場合（画面Ｐ１１８において、営業担当者が訪問することを欲しているユーザの氏名、住所、訪問希望月日時が書き込まれ、マウスを使って「入力完了」ボタンが押し下げられた（クリックされた）場合）、上記入力された氏名、住所、訪問希望日を、詳細に示さない営業情報格納手段に格納し、後の営業活動の情報として使用でき、営業担当者がいつどこへ誰宛てに訪問すればよいかを、型式失効消防用品判別装置１００のオペレータが知ることができる。
【００７１】
ステップＳ１０３において、入力された種別と面積とに対応する防火対象物が、特定用途防火対象物ではないと判断された場合、この旨をＬＣＤ１０８に表示する（Ｓ１２１）。
【００７２】
続いて、特定用途防火対象物でない防火対象物に設置されている消防用品が、もしも特定用途防火対象物に設置された場合、型式失効するか否かを調査することが、型式失効消防用品判別装置１００のオペレータによって選択されたか否かを判断する（Ｓ１２２）。
【００７３】
そして、型式失効するか否かを調査することが選択された場合（Ｓ１２２）、上記特定用途防火対象物でない防火対象物に設置されている消防用品の検定番号の入力を促す画面を、ＬＣＤ１０８に表示する（Ｓ１２３）。なお、この表示に用いる画面として、画面Ｐ１０４から、「特定用途です」という文言を削除したものを用いる。
【００７４】
続いて、調査対象である消防用品の検定番号が入力されたか否かを判断し（Ｓ１２４）、検定番号が入力された場合、上記入力された検定番号と、テーブルＴＢ１０１に記憶されている検定番号とを照合する（Ｓ１２５）。
【００７５】
そして、上記照合の結果、上記入力された検定番号と同一の検定番号がテーブルＴＢ１０１に存在する場合（Ｓ１２５）、上記照合結果を示す画面を、ＬＣＤ１０８に表示する（Ｓ１０７）。この表示に用いる画面として、画面Ｐ１０７と同じ形式の画面を用いる。ただし、「型式失効している消防用品は、特定防火対象物に設置された場合に型式失効するものです。」という旨の文言を加えた画面を用いる。
【００７６】
なお、ステップＳ１２２において、特定用途防火対象物でない防火対象物に設置されている消防用品についても調査することができるようにしている理由を次に述べる。
【００７７】
消防用品が防火対象物に設置されており、この防火対象物が特定用途防火対象物ではない場合、上記消防用品は型式失効しない。一方、消防用品が特定用途防火対象物に設置されている場合、上記消防用品は型式失効し、法規制の対象となり、この法規制の対象である消防用品を代替品と交換する必要がある。
【００７８】
そして、特定用途防火対象物でない建物に設置されている消防用品が、上記建物の種別が変更され、上記建物が特定用途防火対象物になることによって、型式失効するおそれがあるか否かを、上記建物の用途変更に先だって、型式失効消防用品判別装置１００のユーザが知ることができるようにするためである。
【００７９】
ステップＳ１０６、ステップＳ１２５において、いずれの消防用品も型式失効していない場合には、型式失効している消防用品が存在しない旨を、ＬＣＤ１０８に表示する（Ｓ１２７）。
【００８０】
なお、上記各画面において、「終了」ボタンが押し下げられた（クリックされた）場合、型式失効消防用品判別装置１００が動作を終了する。以下の実施例においても、各画面の「終了」ボタンが押し下げられた（クリックされた）場合、各装置は動作を終了する。
【００８１】
型式失効消防用品判別システムＤＳ１において、型式失効消防用品判別装置１００へ情報を入力する場合について、キーボード１０６、マウス１０７が使用され、型式失効消防用品判別装置１００が情報を出力する場合には、ＬＣＤ１０８、プリンタ１０９が使用されるように説明したが、これらと同様に、型式失効消防用品判別装置１００へ情報を入力する場合には、インターネットＩＮＴを介して型式失効消防用品判別装置１００に接続されている端末ＰＣ１、ＰＣ２等から情報を入力し、型式失効消防用品判別装置１００が情報を出力する場合には、端末ＰＣ１、ＰＣ２等に情報を出力できることはもちろんである。
【００８２】
この場合、上記各画面は、端末ＰＣ１、ＰＣ２に設けられている表示部（図示せず）に表示される。以下の実施例においても同様とする。
【００８３】
型式失効消防用品判別システムＤＳ１によれば、調査対象である防火対象物が特定用途防火対象物であるか否かを容易に調査することができ、また、調査対象である消防用品が型式失効しているか否かを容易に調査することができる。
【００８４】
また、型式失効消防用品判別システムＤＳ１によれば、所定の防火対象物に設置されている消防用品が、型式失効し法規制（消防法第２１条の５）の対象であるか否かを容易に調査することができる。
【００８５】
また、型式失効消防用品判別システムＤＳ１によれば、調査した結果、型式失効している消防用品が見つかった場合、この対応の１つとして、上記型式失効している消防用品の代替品に関する情報、たとえば上記代替品に関する見積りを容易に得ることができる。
【００８６】
また、型式失効消防用品判別システムＤＳ１によれば、調査した結果、型式失効している消防用品が見つかった場合、この対応の１つとして、上記型式失効している消防用品に関する資料（たとえばカタログ）の送付を容易に請求することができる。また、上記資料の送付が請求された場合、この資料の送付先を、型式失効消防用品判別装置１００のオペレータが容易に知ることができる。
【００８７】
また、型式失効消防用品判別システムＤＳ１によれば、調査した結果、型式失効している消防用品が見つかった場合、この対応の１つとして、上記型式失効している消防用品に関し、営業担当者の訪問を容易に依頼することができる。また、上記営業担当者の訪問が依頼された場合、この営業担当者の訪問依頼に関する、訪問先、訪問月日時を、型式失効消防用品判別装置１００のオペレータが容易に知ることができる。
【００８８】
特に、型式失効消防用品判別装置１００へ情報を入力する場合、インターネットＩＮＴを介して型式失効消防用品判別装置１００に接続されている端末ＰＣ１、ＰＣ２から情報を入力し、型式失効消防用品判別装置１００から端末ＰＣ１、ＰＣ２等に情報を出力する場合（ステップ１１７、ステップＳ１２０において、氏名住所等を出力する場合を除く）には、次の効果を得ることができる。
【００８９】
調査対象である消防用品が型式失効しているか否かの調査、調査対象である防火対象物が特定用途防火対象物であるか否かの調査、調査対象である防火対象物が特定用途防火対象物であるか否かの調査、調査対象である消防用品が、法規規制の対象であるか否かの調査、型式失効している消防設備の代替品に関する見積、型式失効している消防用品に関する資料の請求、型式失効している消防用品に関する営業担当者の訪問依頼を、任意の端末であるパーソナルコンピュータから、インターネットを介して行うことができ、上述の調査、見積、請求、依頼を一層容易に行うことができる。
【００９０】
また、調査対象である消防用品を特定する場合、検定番号の代わりに、消防用品を特定することができる情報、たとえば消防用品の型式、メーカー、名称、製造年月日を用いてもよい。さらに代替品についても同様に考えることができる。
【００９１】
さらに、画面Ｐ１０１において、防火対象物の種別等を入力するべき旨の表示をする場合、ドロップダウンメニューによって、入力すべきものの一覧を表示するようにしてもよい。
【００９２】
なお、上記実施例では、型式失効消防用品判別装置１００に対して、インターネットＩＮＴを介して端末ＰＣ１、ＰＣ２等からオペレータやユーザがアクセスする場合に基づいて説明したが、インターネットＩＮＴを介さずに型式失効消防用品判別装置１００に対して、ユーザがキーボード１０６やマウス１０７を用いて直接入力し、判別結果をＬＣＤ１０８やプリンタ１０９によって得てもよく、また、ユーザが調査したい情報をオペレータが得て、オペレータがキーボード１０６やマウス１０７を用いて代行入力し、判別結果をＬＣＤ１０８やプリンタ１０９によって得てユーザに連絡するようにしてもよい。
【００９３】
［第２の実施例］
次に、本発明の第２の実施例である法令検索システムＳＳ２について説明する。
【００９４】
図９は、本発明の第２の実施例である法令検索システムＳＳ２の構成を示すブロック図である。
【００９５】
図１０は、法令名、法令の施行者、条項、本文等を表わしているテーブルＴＢ２０１を示す図である。
【００９６】
法令検索装置２００は、型式失効消防用品判別装置１００と基本的には同じ構成であるが、検定番号記憶部１０４と特定用途防火対象物の条件記憶部１０５との代わりに、消防法関連法令記憶部２０４を設けている点が異なり、さらに、ＲＯＭ２０３に格納されているＣＰＵ２０１の動作プログラムが、ＲＯＭ１０３に格納されているものとは異なる。
【００９７】
消防法関連法令記憶部２０４は、図１０に示すテーブルＴＢ２０１の情報（データベース）を記憶しているものである。
【００９８】
テーブルＴＢ２０１の各行には、法令（法規）名、法令の施行者、法令の施行年月日、法令の条項、法令の見出し、法令の本文（条文のうちの本文）が、それぞれ対応づけられて記憶されている。
【００９９】
たとえば、テーブルＴＢ２０１の２行目には、法令名である「消防法」、この法令の施行者である「国」、上記法令の施行年月日、上記法令の条項である「第１条第１項」、上記法令の見出しである「目的」、上記法令の本文である「この法律は…。」が、それぞれ対応づけられて記憶されている。
【０１００】
また、テーブルＴＢ２０１の内容は、法令検索装置２００に設けられているキーボード１０６、マウス１０７によって書き換えることができるようになっている。
【０１０１】
なお、テーブルＴＢ２０１には、消防法に関する法令であって、公布もしくは施行されている法令の総てが記憶されている必要はなく、上記法令のうちで、少なくとも１つ（一部分）が記憶されていればよい。
【０１０２】
なお、法令には、消防法等の法律、消防法施行例等の政令、条例、ガイドライン等が含まれるものとする。
【０１０３】
ＲＯＭ２０３は、所定の動作プログラムを格納しているメモリである。この所定の動作プログラムは、消防法、消防法に関する法令、これらの法令に関する情報のうちで、少なくとも１つを記憶している消防法関連法令等記憶部２０４と、所定文言を入力するときに使用されるキーボード１０６、マウス１０７等とを有する法令検索装置２００において、消防法関連法令等記憶部２０４に記憶されている情報のうちで、キーボード１０６、マウス１０７等を介して入力された所定の文言と関係のある情報を検索し、この検索した結果をＬＣＤ１０８、プリンタ１０９等によって出力する動作を、法令検索装置２００に設けられているＣＰＵ２０１に実行させるプログラムである。
【０１０４】
次に、法令検索装置２００の動作について説明する。
【０１０５】
図１１は、法令検索装置２００の動作を示すフローチャートである。
【０１０６】
図１２は、法令検索装置２００が動作する場合、法令検索装置２００に設けられているＬＣＤ１０８に表示される画面を示す図である。
【０１０７】
なお、キーボード１０６、マウス１０７を介して情報が入力され、ＬＣＤ１０８、プリンタ１０９を介して、情報が出力されるものとし、同様に、インターネットＩＮＴを介して、端末ＰＣ１、ＰＣ２からも情報の入出力ができる。
【０１０８】
法令検索装置２００に設けられているＣＰＵ２０１は、法令を検索するときに使用する所定の文言の入力を促す画面Ｐ２０１を、ＬＣＤ１０８に表示する（Ｓ２０１）。
【０１０９】
なお、法令等を検索するときに使用する所定の文言として、画面Ｐ２０１には、法令の施行者、法令の施行年月日、法令の名称・条項、キーワード等の少なくともいずれかを入力すべき旨が表示されている。
【０１１０】
続いて、所定の文言が入力されたか否かを判断し（Ｓ２０２）、所定の文言が入力された場合（画面Ｐ２０１において、法令の施行者、法令の施行年月日、法令の名称・条項、キーワード等の少なくともいずれかが書き込まれ、検索ボタンがマウス１０７によって押し下げられた（クリックされた）場合）、消防法関連法令記憶部２０４が記憶している情報のうちで、上記入力された所定の文言と関係のある情報を検索する（Ｓ２０３）。
【０１１１】
そして、上記検索した結果の一覧を示す画面Ｐ２０４を、ＬＣＤ１０８に表示する。なお、画面Ｐ２０４には、画面Ｐ２０４が法令検索結果の一覧を表示するものである旨の表示と、上記所定の文言と関係のある法令名・条項・見出しとが表示されている。また、関連する法令が多数あり、画面に一度に表示できない場合には、スクロールボタンＳＢ２によって、スクロールできるようになっている。
【０１１２】
続いて、上記検索結果の一覧に表示されている法令名・条項・見出しのうちで、詳細な表示を必要とするものが指定されたか否か（画面Ｐ２０４の各行に表示されている法令名・条項・見出しのうち、いずれかの行が選択され、詳細表示ボタンがマウス１０７によって押し下げられた（クリックされた）か否か）を判断する（Ｓ２０５）。
【０１１３】
そして、詳細な表示を必要とするものが指定された場合、この指定された法令名・条項・見出しについての詳細（本文）を画面Ｐ２０６に示すように表示する（Ｓ２０６）。なお、画面Ｐ２０６においても、画面Ｐ２０４と同様に、画面をスクロールすることができるようになっている。
【０１１４】
法令検索装置２００によれば、所定の文言を入力することによって、消防法に関する法令等を容易に検索することができるので、消防用品の設計や消防用品の設置根拠となる法令の調査を迅速に行うことができる。また、消防用品の届け出に関する情報、建物への新たな消防用品の設置に関する情報を得ることができる。
【０１１５】
また、型式失効消防用品判別装置ＤＳ１のように、法令検索装置２００へ情報を入力する場合、インターネットＩＮＴを介して、法令検索装置２００に接続されている端末ＰＣ１、ＰＣ２等から情報を入力し、法令検索装置２００から端末ＰＣ１、ＰＣ２等に情報を出力することができるので、次の効果を得ることができる。
【０１１６】
法令等を検索するときに使用する所定の文言の入力を、端末ＰＣ１、ＰＣ２等を用いて行うことができ、しかも、上記検索結果を、端末ＰＣ１、ＰＣ２が表示するので、法令の検索を任意の端末であるパーソナルコンピュータを用いて行うことができ、法令の検索を一層容易に行うことができる。
【０１１７】
なお、ステップＳ２０６において、詳細な表示をする場合、本文を表示することとしているが、これに加えて、各条文の立法趣旨、解釈、各条文に関する質疑応答、判例等を表示するようにしてもよい。この場合、テーブルＴＢ２０１には、各条文の立法趣旨、解釈、各条文に関する質疑応答、判例等が各条文に関連づけられて記憶されているものとする。
【０１１８】
さらに、画面Ｐ２０１において、画面Ｐ１０１と同様にドロップダウンメニューを用いて、入力すべきものの一覧を表示するようにしてもよい。これによって、たとえば、法令の正しい名称を確実に入力することができる。
【０１１９】
なお、上記実施例では、法令検索装置２００に対して、インターネットＩＮＴを介して端末ＰＣ１、ＰＣ２等からオペレータやユーザがアクセスする場合に基づいて説明したが、インターネットＩＮＴを介さずに法令検索装置２００に対して、ユーザがキーボード１０６やマウス１０７を用いて直接入力し、判別結果をＬＣＤ１０８やプリンタ１０９によって得てもよく、また、ユーザが調査したい情報をオペレータが得て、オペレータがキーボード１０６やマウス１０７を用いて代行入力し、判別結果をＬＣＤ１０８やプリンタ１０９によって得てユーザに連絡するようにしてもよい。
【０１２０】
［第３の実施例］
次に、本発明の第３の実施例である型式失効消防用品判別システムＤＳ３について説明する。
【０１２１】
図１３は、本発明の第３の実施例である型式失効消防用品判別システムＤＳ３の構成を示すブロック図である。
【０１２２】
図１４は、型式失効している消防用品に付与されている検定番号を表わすテーブルＴＢ３０１と、調査対象である消防用品に付与されている検定番号を表わすテーブルＴＢ３０２とを示す図である。
【０１２３】
型式失効消防用品判別装置３００は、型式失効消防用品判別装置１００と基本的には同じ構成であるが、検定番号記憶部１０４の代わりに第１の検定番号記憶部３０４を設け、特定用途防火対象物の条件記憶部１０５の代わりに第２の検定番号記憶部３０５を設けている点が異なり、さらに、ＲＯＭ３０３に格納されているＣＰＵ３０１の動作プログラムが、ＲＯＭ１０３に格納されているものとは異なる。
【０１２４】
第１の検定番号記憶部３０４は、図１４（１）に示すテーブルＴＢ３０１の情報（データベース）を記憶しているものである。
【０１２５】
テーブルＴＢ３０１の各行には、型式失効している消防用品に付与されている検定番号が記憶されている。なお、テーブルＴＢ３０１の内容は、キーボード１０６、マウス１０７を介して書き換えることができるようになっている。
【０１２６】
第２の検定番号記憶部３０５は、図１４（２）に示すテーブルＴＢ３０２の情報（データベース）を記憶しているものである。
【０１２７】
テーブルＴＢ３０２の各行には、キーボード１０６、マウス１０７を介して入力された検定番号であって、型式失効しているか否かの調査対象となる消防用品（たとえばユーザの関係する建物に使用されている消防用品）に付与されている検定番号が記憶されている。
【０１２８】
ＲＯＭ３０３は、所定の制御プログラムを格納しているメモリである。この制御プログラムは、特定用途防火対象物に設置されると、型式承認の効力を失う消防用品に付与されている検定番号を記憶している第１の検定番号記憶部３０４と、第１の検定番号記憶部が記憶している検定番号を書き換えるときに使用され、また、所定の検定番号を入力するときに使用されるキーボード１０６、マウス１０７と、キーボード１０６、マウス１０７等を介して入力された検定番号を記憶する第２の検定番号記憶部３０５とを有する型式失効消防用品判別装置３００において、キーボード１０６、マウス１０７等を介して、第１の検定番号記憶部３０４が記憶している検定番号が書き換えられた場合、上記第１の検定番号記憶部３０４が記憶している検定番号と、上記第２の検定番号記憶部３０５が記憶している検定番号とを照合し、この照合した照合結果を、ＬＣＤ１０８、プリンタ１０９等を用いて出力する動作を、型式失効消防用品判別装置３００に設けられているＣＰＵ３０１に実行させるプログラムである。
【０１２９】
次に、型式失効消防用品判別装置３００の動作について説明する。
【０１３０】
図１５は、型式失効消防用品判別装置３００の動作を示すフローチャートである。
【０１３１】
図１６は、型式失効消防用品判別装置３００が動作する場合、失効設備判別装置３００に設けられているＬＣＤ１０８に表示される画面を示す図である。
【０１３２】
なお、キーボード１０６、マウス１０７を介して情報が入力され、ＬＣＤ１０８、プリンタ１０９を介して、情報が出力されるものとし、同様に、インターネットＩＮＴを介して、端末ＰＣ１、ＰＣ２から情報の入出力ができる。
【０１３３】
型式失効消防用品判別装置３００に設けられているＣＰＵ３０１は、調査対象である消防用品に付与されている検定番号の入力動作、テーブルＴＢ３０１に記憶されている検定番号の書き換え動作のいずれかの動作の選択を促す画面Ｐ３０１を、ＬＣＤ１０８に表示する（Ｓ３０１）。
【０１３４】
続いて、ユーザによる調査対象である消防用品に付与されている検定番号の入力動作、オペレータによるテーブルＴＢ３０１に記憶されている検定番号の書き換え動作のいずれの動作が、選択されたのかを判断する（Ｓ３０２）。
【０１３５】
そして、検定番号の入力動作が選択された場合、調査対象である消防用品に付与されている検定番号の入力を促す画面Ｐ３０３を、ＬＣＤ１０８に表示する（Ｓ３０３）。なお、画面Ｐ３０３には、型式失効消防用品が変更（追加等）されることによって、上記調査対象である消防用品が型式失効する場合、このことを通知する旨の表示もされている。
【０１３６】
続いて、上記検定番号の入力がされたか否かを判断し（Ｓ３０４）、上記入力がされた場合（画面Ｐ３０１において、検定番号が書き込まれ、入力完了ボタンが押し下げられた（クリックされた）場合）、上記入力した検定番号を第２の記憶部３０５に記憶する（Ｓ３０５）。
【０１３７】
また、ステップＳ３０２において、テーブルＴＢ３０１に記憶されている検定番号の書き換え動作が選択された場合、テーブルＴＢ３０１の内容をＬＣＤ１０８に表示する（Ｓ３０６）。なお、この表示される画面（図示せず）は、スクロール等することによって、書き換え箇所を表示することができるようになっている。また、この画面には、書き換えが終了したことを入力するための「書き換え終了」ボタンが付加されている。
【０１３８】
そして、ＬＣＤ１０８に表示されている情報を参照し、テーブルＴＢ３０１の内容をオペレータが書き換え、この書換えが完了したか否かを判断する（Ｓ３０７）。
【０１３９】
次に、ユーザによって検定番号が入力され、この入力された検定番号を記憶した後（Ｓ３０５）、または、テーブルＴＢ３０１の内容がオペレータによって書き換えられ、テーブルＴＢ３０１の書き換えが完了した後（上記「書き換え終了」ボタンがマウス１０７によって押し下げられた後）（Ｓ３０７）、第２の記憶部３０５に記憶された検定番号と、テーブルＴＢ３０１に記憶されている検定番号とを照合する（Ｓ３０８）。
【０１４０】
なお、上記照合は、第２の記憶部３０５に記憶された検定番号と同じ検定番号が、テーブルＴＢ３０１に記憶されているか否かを検索することによって行われる。
【０１４１】
そして、上記照合の結果をＬＣＤ１０８に出力する。この出力は画面Ｐ３０９に示すように行われる。画面Ｐ３０９には、検定番号記憶部１０４に記憶されている検定番号が書き換えられたことによって、型式失効した消防用品の検定番号、検定番号記憶部１０４に記憶されている検定番号が書き換えられる前から型式失効している消防用品の検定番号とが表示される。
【０１４２】
型式失効消防用品判別装置３００によれば、型式失効の対象である消防用品が、法令の改正によって変更になった場合、この変更によって、型式失効する消防用品を容易に知ることができる。
【０１４３】
また、型式失効消防用品判別システムＤＳ１のように、型式失効消防用品判別装置３００へ情報を入力する場合、インターネットＩＮＴを介して、型式失効消防用品判別装置３００に接続されている端末ＰＣ１、ＰＣ２等から情報を入力し、型式失効消防用品判別装置３００から端末ＰＣ１、ＰＣ２等に情報を出力するようにすると、次の効果を得ることができる。
【０１４４】
調査対象である消防用品に付与されている検定番号の入力、テーブルＴＢ３０１が記憶している検定番号の書き換えを、端末ＰＣ１、ＰＣ２等を用いて行うことができ、しかも、検定番号が書き換えられた場合において、テーブルＴＢ３０１とテーブルＴＢ３０２とにそれぞれ記憶されている検定番号の照合結果を、端末ＰＣ１、ＰＣ２が表示するので、型式失効の対象である消防用品が、法令の改正によって追加された場合、この追加によって、型式失効する消防用品を一層容易に知ることができる。
【０１４５】
また、情報の入出力を、インターネットを介して端末ＰＣ１、ＰＣ２が行うものとした場合、ステップＳ３０５において、入力された検定番号を記憶するときに、この入力をした者の連絡先（たとえばＥｍａｉｌアドレス）を併せて、記憶し、ステップＳ３０９において、照合結果をステップＳ３０５で記憶した連絡先に出力するようにすれば、型式失効したか否かの情報を欲する者が、型式失効した消防用品を直接知ることができる。
【０１４６】
また、画面Ｐ３０９における表示において、テーブルＴＢ３０１の書き換えによって型式失効消防用品が追加され、この結果新たに型式失効した消防用品に対して目印を付け、他の型式失効している消防用品と区別するようにしてもよい。
【０１４７】
さらに、画面Ｐ３０９における表示において、テーブルＴＢ３０１の書き換えによって型式失効消防用品が新たに発生した場合、この新たに発生した型式失効消防用品のみを表示するようにしてもよい。
【０１４８】
また、型式失効消防用品判別装置１００と同様に、調査対象である消防用品を特定する場合、検定番号の代わりに、消防用品を特定することができる情報、たとえば消防用品の型式、メーカー、名称、製造年月日を用いてもよい。
【０１４９】
［第４の実施例］
次に、本発明の第４の実施例である法令検索システムＳＳ４について説明する。
【０１５０】
図１７は、本発明の第４の実施例である法令検索システムＳＳ４の構成を示すブロック図である。
【０１５１】
図１８は、法令の施行者、条項、本文等を表わしているテーブルＴＢ４０１を示す図である。
【０１５２】
法令検索装置４００は、型式失効消防用品判別装置１００と基本的には同じ構成であるが検定番号記憶部１０４の代わりに情報記憶部４０４を設け、特定用途防火対象物の条件記憶部１０５の代わりに文言記憶部４０５を設けている点が異なり、さらに、ＲＯＭ４０３に格納されているＣＰＵ４０１の動作プログラムが、ＲＯＭ１０３に格納されているものとは異なる。
【０１５３】
情報記憶部４０４は、図１８に示すテーブルＴＢ４０１の情報（データベース）を記憶しているものである。
【０１５４】
テーブルＴＢ４０１の各行には、図１０で示すテーブルＴＢ２０１と同様に、法令名、法令の本文等が、それぞれ対応付けられて記憶されている。なお、テーブルＴＢ４０１の内容は、キーボード１０６、マウス１０７を介して書き換えることができるようになっている。
【０１５５】
文言記憶部４０５は、キーボード１０６、マウス１０７を介して入力された所定の文言であって、法令等を検索するときに使用する所定の文言（たとえば、法令の施行者、法令の施行年月日、法令の名称、条項、キーワードのうちの少なくとも１つの文言）が記憶されている。
【０１５６】
ＲＯＭ４０３は、所定の制御プログラムを記憶しているメモリである。この制御プログラムは、消防法、消防法に関する法令、これらの法令に関する情報のうちで、少なくとも１つを記憶している情報記憶部４０４と、情報記憶部４０４が記憶している情報を書き換えるときに使用され、また、所定の文言を入力するときに使用されるキーボード１０６、マウス１０７等と、キーボード１０６、マウス１０７等を介して入力された文言を記憶する文言記憶部４０５とを有する法令検索装置４００において、キーボード１０６、マウス１０７等を介して、情報記憶部４０４が記憶している情報が書き換えられた場合、文言記憶部４０５が記憶している文言と関係のある情報を、情報記憶部４０４に記憶されている情報のなかから検索し、この検索した結果を出力する動作を、法令検索装置４００に設けられているＣＰＵ４０１に実行させるプログラムである。
【０１５７】
次に、法令検索装置４００の動作について説明する。
【０１５８】
図１９は、法令検索装置４００の動作を示すフローチャートである。
【０１５９】
図２０、図２１は、法令検索装置４００が動作する場合、法令検索装置４００に設けられているＬＣＤ１０８に表示される画面を示す図である。
【０１６０】
なお、キーボード１０６、マウス１０７を介して情報が入力され、ＬＣＤ１０８、プリンタ１０９を介して、情報が出力されるものとし、同様に、インターネットＩＮＴを介して、端末ＰＣ１、ＰＣ２から情報の入出力ができる。
【０１６１】
法令検索装置４００に設けられているＣＰＵ４０１は、法令等を検索するときに使用する所定の文言の入力動作、テーブルＴＢ４０１に記憶されている法令等の書き換え動作のいずれの動作を行うのかの選択を促す画面Ｐ４０１を、ＬＣＤ１０８に表示する（Ｓ４０１）。
【０１６２】
続いて、所定の文言の入力動作、テーブルＴＢ４０１に記憶されている法令等の書き換え動作のいずれが選択されたのかを判断する（Ｓ４０２）。
【０１６３】
そして、所定の文言の入力動作が選択された場合、法令等を検索するときに使用する所定の文言の入力を促す画面Ｐ４０３を、ＬＣＤ１０８に表示する（Ｓ４０３）。なお、画面Ｐ４０３は、図１２に示す画面Ｐ２０１と同じものである。
【０１６４】
続いて、所定の文言が入力されたか否か判断し（Ｓ４０４）、所定の文言が入力された場合（画面Ｐ４０３において、法令の施行者、法令の施行年月日、法令の名称・条項、キーワード等の少なくともいずれかが書き込まれ、検索ボタンがマウス１０７によって押し下げられた（クリックされた）場合）、この入力された所定の文言を文言記憶部４０５に記憶し（Ｓ４０５）、ステップＳ４０８へ移る。
【０１６５】
ステップＳ４０２において、テーブルＴＢ４０１に記憶されている法令の書き換え動作が選択された場合、テーブルＴＢ４０１の内容をＬＣＤ１０８に表示する。なお、この表示されている画面（図示せず）は、スクロール等することによって、書き換え箇所を表示することができるようになっている。また、この画面には、書き換えが終了したことを入力するための「書き換え終了」ボタンが付加されている。
【０１６６】
そして、ＬＣＤ１０８に表示されている情報を参照し、テーブルＴＢ４０１の内容をオペレータが書き換える。
【０１６７】
続いて、テーブルＴＢ４０１の書き換えが終了したか否かを判断し（Ｓ４０７）、書き換えが終了した場合（上記「書き換え終了」ボタンがマウス１０７によって押し下げられた（クリックされた）場合）、ステップＳ４０５の動作の終了時と同様に、ステップＳ４０５において文言記憶部３０５に記憶された所定の文言と関係のある情報を、テーブルＴＢ４０１に記憶されている情報のなかから検索する（Ｓ４０８）。
【０１６８】
そして、上記検索した結果の一覧を示す画面Ｐ４０９を、ＬＣＤ１０８に出力する。なお、画面Ｐ４０９は、図１２に示す画面Ｐ２０４と同様の形式にて作成されている。
【０１６９】
続いて、上記検索結果の一覧に表示されている法令名・条項・見出しのうちで、詳細な表示を必要とするものが指定されたか否か（画面Ｐ４０９の各行に表示されている法令名・条項・見出しのうち、いずれかの行が選択され、詳細表示ボタンがマウス１０７によって押し下げられた（クリックされた）か否か）を判断する（Ｓ４１０）。
【０１７０】
そして、詳細な表示を必要とするものが指定された場合、この指定された法令名・条項・見出しについての詳細（本文）を画面Ｐ４１１に示すように表示する（Ｓ４１１）。なお、画面Ｐ４１１は、図１２に示す画面Ｐ２０６と同様の形式にて作成されている。
【０１７１】
法令検索装置４００によれば、所定の文言を入力しておくことによって、法令が改正された場合、上記所定の文言に関する法令の変更箇所を、オペレータが容易に知ることができ、消防用品の設計や消防用品の設置根拠となる法令の調査を迅速に行うことができる。
【０１７２】
また、型式失効消防用品判別システムＤＳ１のように、法令検索装置４００へ情報を入力する場合、インターネットＩＮＴを介して、法令検索装置４００に接続されている端末ＰＣ１、ＰＣ２等から情報を入力し、法令検索装置４００から端末ＰＣ１、ＰＣ２等に情報を出力するようにすると、次の効果を得ることができる。
【０１７３】
法令等を検索するときに使用する所定の文言の入力、テーブルＴＢ４０１が記憶している情報の書き換えを、端末ＰＣ１、ＰＣ２等を用いて行うことができ、また、テーブルＴＢ４０１の情報が書き換えられた場合において、法令等を検索するために記憶されている所定の文言と関連する情報を、上記書き換えられたテーブルＴＢ４０１の情報のなかから検索し、この検索結果を、端末ＰＣ１、ＰＣ２等が表示することができるので、消防用品の設計や消防用品の設置根拠となる法令の調査を一層迅速に行うことができる。
【０１７４】
なお、ステップＳ４１１において、詳細な表示をする場合、本文を表示することとしているが、これに加えて、各条文の立法趣旨、解釈、各条文に関する質疑応答、判例等を表示するようにしてもよい。この場合、テーブルＴＢ４０１には、各条文の立法趣旨、解釈、各条文に関する質疑応答、判例等が各条文に関連づけられて記憶されているものとする。
【０１７５】
また、情報の入出力を、インターネットＩＮＴを介して端末ＰＣ１、ＰＣ２が行うものとした場合、ステップＳ４０５において、入力された所定の文言を記憶するときに、この入力をした者の連絡先（たとえばＥｍａｉｌアドレス）を併せて、記憶し、ステップＳ４１１において、検索結果をステップＳ４０５で記憶した連絡先に出力するようにすれば、法令の改正について調査したい者が、法令の改正を直接知ることができる。
【０１７６】
また、画面Ｐ４０９における表示において、テーブルＴＢ４０１の書き換えによって変更され、この結果新たに該当することになった条項等に対して目印を付け、他の条項等と区別するようにしてもよい。
【０１７７】
さらに、画面Ｐ４０９における表示において、テーブルＴＢ４０１の書き換えによって変更され、この結果新たに該当することになった条項等のみを表示するようにしてもよい。
【０１７８】
また、画面Ｐ４０３において、所定文言の入力を促す旨の表示をする場合、ドロップダウンメニューによって、入力すべきものの一覧を表示するようにしてもよい。
【０１７９】
［第５の実施例］
次に、本発明の第５の実施例である消防用品の有効期限算出システムＣＳ５について説明する。
【０１８０】
図２２は、本発明の第５の実施例である消防用品の有効期限算出システムＣＳ５の構成を示すブロック図である。
【０１８１】
図２３は、消防用品の検定番号、消防用品の有効期間（点検期間）等を表わしているテーブルＴＢ５０１を示す図である。
【０１８２】
消防用品の有効期限算出装置５００は、型式失効消防用品判別装置１００と基本的には同じ構成であるが検定番号記憶部１０４と特定用途防火対象物の条件記憶部１０５との代わりに検定番号・有効期間記憶部５０４を設けている点が異なり、さらに、ＲＯＭ５０３に格納されているＣＰＵ５０１の動作プログラムが、ＲＯＭ１０３に格納されているものとは異なる。
【０１８３】
検定番号・有効期間記憶部５０４は、図２３に示すテーブルＴＢ５０１の情報（データベース）を記憶しているものである。
【０１８４】
テーブルＴＢ５０１の各行には、消防用品の名称、消防用品のメーカー、消防用品の型式、消防用品の検定番号、消防用品の有効期間（点検期間）がそれぞれ対応付けられて記憶されている。なお、テーブルＴＢ５０１の内容は、キーボード１０６、マウス１０７を介して書き換えることができるようになっている。
【０１８５】
また、「有効期間」とは、消防用品が設置されたときを起算点として、この設置された消防用品が有効に動作することができる期間である。したがって、上記有効期間が到来する前に、上記消防用品を点検し、必要に応じて整備する必要がある。また、さらに、有効期間と同様に処理できる点検期間は、１年や半年等で動作を確認すべき周期であり、点検日ごとに始期を更新して起算点とすることができる。
【０１８６】
ＲＯＭ５０３は、所定の制御プログラムを記憶しているメモリである。この制御プログラムは、消防用品の検定番号と、この消防用品の有効期間とを対応付けて記憶している検定番号・有効期間記憶部５０４と、所定の検定番号と、この所定の検定番号に対応する消防用品の有効期間の減算を開始する時期とを入力するときに使用されるキーボード１０６、マウス１０７等を有する消防用品の有効期限算出装置５００において、キーボード１０６、マウス１０７等を介して入力された所定の検定番号に対応する消防用品の有効期間を、検定番号・有効期間記憶部５０４が記憶している有効期間のなかから読み出して、この読み出した有効期間と、キーボード１０６、マウス１０７等を介して入力された上記減算を開始する時期とを用いて、キーボード１０６、マウス１０７等を介して入力された所定の検定番号に対応する消防用品の有効期限を算出し、この算出した結果を、ＬＣＤ１０８、プリンタ１０９等を用いて出力する動作を、法令検索装置４００に設けられているＣＰＵ４０１に実行させるプログラムである。
【０１８７】
次に、消防用品の有効期限算出装置５００の動作について説明する。
【０１８８】
図２４は、消防用品の有効期限算出装置５００の動作を示すフローチャートである。
【０１８９】
図２５は、消防用品の有効期限算出装置５００が動作する場合、消防用品の有効期限算出装置５００に設けられているＬＣＤ１０８に表示される画面を示す図である。
【０１９０】
なお、キーボード１０６、マウス１０７を介して情報が入力され、ＬＣＤ１０８、プリンタ１０９を介して、情報が出力されるものとし、同様に、インターネットＩＮＴを介して、端末ＰＣ１、ＰＣ２から情報の入出力ができる。
【０１９１】
消防用品の有効期限算出装置５００に設けられているＣＰＵ５０１は、調査対象である消防用品に付与されている検定番号と、この消防用品の使用開始時期（使用期間の減算を開始する時期）との入力を促す画面Ｐ５０１を、ＬＣＤ１０８に表示する（Ｓ５０１）。なお、使用開始時期として、使用開始年月日が入力されるものとする。
【０１９２】
続いて、調査対象である消防用品に付与されている検定番号と、この消防用品の使用開始時期とが入力されたか否かを判断し（Ｓ５０２）、入力された場合、この入力された情報に基づいて、上記調査対象である設備の有効期限（有効期間の終期）を算出する（Ｓ５０３）。
【０１９３】
たとえば、上記入力された消防用品の検定番号が「第６１〜２号」であり、この検定番号に対応する消防用品の使用開始時期が、２０００年１２月２５日である場合、テーブルＴＢ５０１に記憶されている検定番号「第６１〜２号」に対応する有効期間５年と、上記開始時期「２０００年１２月２５日」とを用いて、上記調査対象である消防用品の有効期限である「２００５年１２月２４日」を算出する。
【０１９４】
続いて、上記算出結果を画面Ｐ５０４に示すように表示する（Ｓ５０４）。なお、画面Ｐ５０４には、調査対象である消防用品の検定番号と、この検定番号に対応する消防用品の有効期限とが表示されている。
【０１９５】
消防用品の有効期限算出装置５００によれば、使用されている消防用品の有効期限を容易に知ることができる。
【０１９６】
また、型式失効消防用品判別システムＤＳ１のように、消防用品の有効期限算出装置５００へ情報を入力する場合、インターネットＩＮＴを介して、消防用品の有効期限算出装置５００に接続されている端末ＰＣ１、ＰＣ２等から情報を入力し、消防用品の有効期限算出装置５００から端末ＰＣ１、ＰＣ２等に情報を出力するようにすると、次の効果を得ることができる。
【０１９７】
任意の端末であるパーソナルコンピュータを用いて、消防用品の有効期限を算出しこの結果を得ることができるので、消防用品の有効期限を調査しようとする者にとって、調査しやすくなる。
【０１９８】
また、情報の入出力を、インターネットＩＮＴを介して端末ＰＣ１、ＰＣ２が行うものとした場合、ステップＳ５０２において、検定番号等を入力した者の連絡先（たとえばＥｍａｉｌアドレス）を記憶し、ステップＳ５０４において、算出結果をステップＳ５０２で記憶した連絡先に出力するようにすれば、消防用品の有効期限を調査したい者が、有効期限を直接知ることができる。
【０１９９】
また、システムＳＳ５においては、消防用品の有効期限を算出し、この算出した有効期限を出力することとしているが、消防用品の有効期限を算出し、この算出した有効期限から所定の期間遡った点検時期（有効期限のたとえば１カ月前）を算出し、この算出した点検時期を記憶し、この記憶した点検時期が到来したことをＣＰＵ５０１の計時によって検知した場合、上記消防用品を点検すべき旨を、ＬＣＤ１０８、プリンタ１０９、端末ＰＣ１、ＰＣ２に出力するようにしてもよい。
【０２００】
さらに、消防用品の有効期限を算出し、この算出した有効期限を記憶し、この記憶した有効期限から所定の期間遡った点検時期（有効期限のたとえば１カ月前）が到来したことをＣＰＵ５０１の計時によって検知した場合、上記消防用品を点検すべき旨を、ＬＣＤ１０８、プリンタ１０９、端末ＰＣ１、ＰＣ２に出力するようにしてもよい。
【０２０１】
このようにすることによって、有効期限前に消防用品を確実に点検をすることができる。この理由は、有効期限のたとえば１カ月前に、消防用品を点検すべき旨の通知を受けた後、上記消防用品の管理者が、上記消防用品の保守点検をただちに実施することになるからである。
【０２０２】
また、型式失効消防用品判別装置１００と同様に、調査対象である消防用品を特定する場合、検定番号の代わりに、消防用品を特定することができる情報、たとえば消防用品の型式、メーカー、名称、製造年月日を用いてもよい。
【０２０３】
［第６の実施例］
次に、本発明の第６の実施例である型式失効消防用品判別システムＤＳ６について説明する。
【０２０４】
図２６は、本発明の第６の実施例である型式失効消防用品判別システムＤＳ６の構成を示すブロック図である。
【０２０５】
図２７は、消防用品の検定番号、消防用品の交換期間の終期を表わしているテーブルＴＢ６０１を示す図である。
【０２０６】
型式失効消防用品判別装置６００は、型式失効消防用品判別装置１００と基本的には同じ構成であるが検定番号記憶部１０４と特定用途防火対象物の条件記憶部１０５との代わりに検定番号・交換期間の終期記憶部６０４を設けている点が異なり、さらに、ＲＯＭ６０３に格納されているＣＰＵ６０１の動作プログラムが、ＲＯＭ１０３に格納されているものとは異なる。
【０２０７】
検定番号・交換期間の終期記憶部６０４は、図２７に示すテーブルＴＢ６０１の情報（データベース）を記憶しているものである。
【０２０８】
テーブルＴＢ６０１の各行には、消防用品の名称、消防用品のメーカー、消防用品の検定番号、消防用品を交換しなければならない期間の終期がそれぞれ対応付けられて記憶されている。なお、テーブルＴＢ６０１の内容は、キーボード１０６、マウス１０７を介して書き換えることができるようになっている。
【０２０９】
特定用途防火対象物に設置され、型式失効した消防用品は、法規制の対象となり、所定の時期までに、代替品と交換しなければならない。
【０２１０】
ＲＯＭ６０３は、所定の制御プログラムを記憶しているメモリである。この制御プログラムは、特定用途防火対象物に設置されると、型式承認の効力を失う消防用品に付与されている検定番号と、この消防用品を代替品に交換しなければならない期間の終期とを対応付けて記憶している検定番号・交換の時期記憶部６０４と、所定の検定番号を入力するときに使用するキーボード１０６、マウス１０７等とを有する型式失効消防用品判別装置において、キーボード１０６、マウス１０７等を介して入力された所定の検定番号と、検定番号・交換の時期記憶部６０４に記憶されている検定番号とを照合し、この照合した結果、キーボード１０６、マウス１０７等介して入力された所定の検定番号と同一の検定番号が、検定番号・交換の時期記憶部６０４に記憶されている場合、上記同一の検定番号に対応する交換期間の終期を検定番号・交換の時期記憶部６０４が記憶している期間の終期のなかから読み出し、ＬＣＤ１０８、プリンタ１０９等を用いて出力する動作を、型式失効消防用品判別装置６００に設けられているＣＰＵ６０１に実行させるプログラムである。
【０２１１】
次に、型式失効消防用品判別装置６００の動作について説明する。
【０２１２】
図２８は、型式失効消防用品判別装置６００の動作を示すフローチャートである。
【０２１３】
図２９は、型式失効消防用品判別装置６００が動作する場合、型式失効消防用品判別装置６００に設けられているＬＣＤ１０８に表示される画面を示す図である。
【０２１４】
なお、キーボード１０６、マウス１０７を介して情報が入力され、ＬＣＤ１０８、プリンタ１０９を介して、情報が出力されるものとし、同様に、インターネットＩＮＴを介して、端末ＰＣ１、ＰＣ２から情報の入出力ができる。
【０２１５】
型式失効消防用品判別装置６００に設けられているＣＰＵ６０１は、調査対象である消防用品に付与されている検定番号の入力を促す画面Ｐ６０１を、ＬＣＤ１０８に表示する（Ｓ６０１）。なお、画面Ｐ６０１には、型式失効している消防用品を交換すべき時期を求めるので、検定番号を入力すべき旨が併せて表示されている。
【０２１６】
続いて、調査対象である消防用品に付与されている検定番号が入力されたか否かを判断し（Ｓ６０２）、入力された場合、この入力された検定番号と同一の検定番号がテーブルＴＢ６０１に記憶されているか否かを照合する（Ｓ６０３）。
【０２１７】
そして、同一の検定番号がテーブルＴＢ６０１に記憶されている場合（Ｓ６０４）、この同一の検定番号に対応する交換期間の終期を、テーブルＴＢ６０１から読み出して、画面Ｐ６０５に示すように、ＬＣＤ１０８、プリンタ１０９を用いて出力する（Ｓ６０５）。
【０２１８】
なお、画面Ｐ６０５では、交換すべき時期までに、消防用品を代替品と交換すべき旨の表示と、上記消防用品の検定番号とこの検定番号に対応する交換時期とが表示されている。
【０２１９】
一方、同一の検定番号がテーブルＴＢ６０１に記憶されていない場合（Ｓ６０４）、型式失効している消防用品が存在しない旨を表示する（Ｓ６０６）。
【０２２０】
型式失効消防用品判別システムＤＳ５によれば、特定用途防火対象物に設置され、型式失効している消防用品の交換期間の終期を、消防用品の管理者が容易に知ることができる。
【０２２１】
また型式失効消防用品判別スシテムＤＳ１のように、型式失効消防用品判別装置６００へ情報を入力する場合、インターネットＩＮＴを介して、型式失効消防用品判別装置６００に接続されている端末ＰＣ１、ＰＣ２等から情報を入力し、型式失効消防用品判別装置６００から端末ＰＣ１、ＰＣ２等に情報を出力するようにすると、次の効果を得ることができる。
【０２２２】
任意の端末であるパーソナルコンピュータを用いて、型式失効した消防用品の交換期間の終期を知ることができるので、型式失効する消防用品の交換期間の終期を調査しようとする者にとって、調査しやすくなる。
【０２２３】
また、情報の入出力を、インターネットＩＮＴを介して端末ＰＣ１、ＰＣ２が行うものとした場合、ステップＳ６０２において、検定番号等を入力した者の連絡先（たとえばＥｍａｉｌアドレス）を記憶し、ステップＳ６０４において、算出結果を、ステップＳ６０２で記憶した連絡先に出力するようにすれば、型式失効する消防用品の交換期間の終期を調査する者が、有効期限を直接知ることができる。
【０２２４】
また、型式失効消防用品判別システムＤＳ６においては、型式失効する消防用品を代替品に交換しなければならない時期を読み出して出力することとしているが、上記時期を読み出して、この読み出した時期から所定の期間遡った時期（たとえば１カ月前）を算出し、この算出した時期を記憶し、この記憶した時期が到来したことをＣＰＵ６０１の計時によって検知した場合、上記消防用品を交換しなければならない旨の情報を、ＬＣＤ１０８、プリンタ１０９、端末ＰＣ１、ＰＣ２に出力するようにしてもよい。
【０２２５】
さらに、型式失効になっている消防用品を代替品に交換しなければならない時期を読み出し、この読み出した時期を記憶し、この記憶した時期から所定の期間遡った時期（たとえば１カ月前）が到来したことをＣＰＵ６０１の計時によって検知した場合、上記消防用品を交換しなければならない旨の情報を、ＬＣＤ１０８、プリンタ１０９、端末ＰＣ１、ＰＣ２に出力するようにしてもよい。
【０２２６】
このようにすることによって、型式失効する消防用品の交換を交換しなければならない時期が到来する前に、上記消防用品の管理者は、上記消防用品を代替品に交換する。この理由は、交換時期のたとえば１カ月前に、上記消防用品を交換しなければならない旨の通知を受けた後、上記消防用品の管理者が、上記消防用品を代替品にただちに交換するからである。
【０２２７】
また、型式失効消防用品判別装置１００と同様に、調査対象である消防用品を特定する場合、検定番号の代わりに、消防用品を特定することができる情報、たとえば消防用品の型式、メーカー、名称、製造年月日を用いてもよい。
【０２２８】
［第７の実施例］
図３０は、本発明の第７の実施例であるユーザ支援システムＵＳ７の構成を示すブロック図である。
【０２２９】
図３１は、ユーザ登録情報を表わしているテーブルＴＢ７０１を示す図である。
【０２３０】
図３２は、処理装置７００が格納している各動作プログラムと処理装置７００が具備する記憶部との関係を示す図である。
【０２３１】
ユーザ支援システムＵＳ７は、処理装置７００と、端末ＰＣ１、ＰＣ２等と、これらを互いに接続するインターネットＩＮＴとによって構成されている。ここで、処理装置７００は、データの入力に伴って、情報の登録および処理が行われるサーバ方式の処理装置である。
【０２３２】
端末ＰＣ１、ＰＣ２等は、ユーザ支援システムＵＳ７によってサービスの提供を受けるユーザ、または、ユーザ支援システムＵＳ７を用いてサービスを提供するオペレータが、処理装置７００にアクセスするためのネットワーク端末として用いるパソコン等である。また、インターネットＩＮＴは、処理装置７００と接続されるＬＡＮ、このＬＡＮに接続され、このＬＡＮの外部からアクセス可能であるＷＡＮ、またはインターネット等のネット網を、包括的に示したものである。
【０２３３】
ここで、ユーザは、おもに消防用品を利用する建物の所有者、管理者または点検業者等の関係者であり、オペレータは、サービスを提供するサービス業者である。
【０２３４】
処理装置７００は、型式失効消防用品判別装置１００と基本的には同じ構成であるが、キーボード、マウス、ＬＣＤおよびプリンタを具備しない点と、インタフェース７１０とインターネットＩＮＴとを介した端末ＰＣ１、ＰＣ２からのアクセスによって、情報を入出力する点と、ＲＯＭの代りにハードディスク７０３を具備する点とが異なる。
【０２３５】
ハードディスク７０３は、ユーザ支援システムＵＳ７において、サービスの提供をする際に用いられる表示画面や、各動作プログラムを格納しているメモリであり、また、各種情報を記憶しているメモリである。
【０２３６】
上記各種情報を記憶している各種情報記憶部は、検定番号記憶部７２１と、特定用途防火対象物用種別・面積記憶部７２２と、消防法関連法令等記憶部７２３と、物件情報記憶部７２４とによって構成されている。
【０２３７】
ここで、検定番号記憶部７２１は、図２に示すテーブルＴＢ１０１のように、所定の検定番号を付与されている消防用品が、型式失効しているか否か等を示す情報を記憶している記憶部である。
【０２３８】
特定用途防火対象物用種別・面積記憶部７２２は、図３に示すテーブルＴＢ１０２のように、建物が特定用途防火対象物である条件を記憶している記憶部である。
【０２３９】
消防法関連法令等記憶部７２３は、図１０に示すテーブルＴＢ２０１のように、法令等に係わる情報を記憶している記憶部である。
【０２４０】
物件情報記憶部７２４は、図１４に示すテーブルＴＢ３０２（調査対象である消防用品に付与されている検定番号を表わすテーブル）、図１７に示す文言記憶部４０５（法令等を検索するときに使用する所定の文言を記憶している記憶部）、および図２３に示すテーブルＴＢ５０１（消防用品の検定番号、有効期間等を表わすテーブル）が記憶している情報に加えて、図３１のテーブルＴＢ７０１に示すユーザ登録情報を記憶している記憶部である。
【０２４１】
ここで、テーブルＴＢ７０１の各行には、ユーザ名と、このユーザの物件名と、この物件に設置されている設備名（消防用品名）と、上記ユーザの連絡先と、上記ユーザの物件に使用している消防用品の検定番号（図示せず）と、法令検索をする際に使用する所定の文言（図示せず）と、上記消防用品の有効期限（点検時期）とが記憶されている。
【０２４２】
なお、電子メールアドレス、ファックス番号、郵送するための住所等のいずれかを、ユーザの都合によって選択し、上記連絡先として使用するべきであるが、ここでは簡便に電子メールアドレスのみを用いることとする。
【０２４３】
また、ハードディスク７０３は、ユーザ接続プログラム記憶部７４１と、型式失効消防用品検索プログラム記憶部７４２と、法令検索プログラム記憶部７４３と、ユーザ登録プログラム記憶部７４４と、型式失効消防用品登録プログラム記憶部７４５と、法令登録プログラム記憶部７４６と、点検予告プログラム記憶部７４７と、ユーザ通知プログラム記憶部７４８とを具備する。
【０２４４】
ここで、ユーザ接続プログラム記憶部７４１は、インターネットＩＮＴを介したユーザからのアクセスに対処するための制御プログラムを記憶している記憶部である。
【０２４５】
また、型式失効消防用品検索プログラム記憶部７４２は、型式失効消防用品判別装置１００に設けられているＲＯＭ１０３に格納されている制御プログラムと同様な制御プログラム（型式失効の消防用品を検索する制御プログラム）を記憶している記憶部である。
【０２４６】
また、法令検索プログラム記憶部７４３は、法令検索装置２００に設けられているＲＯＭ２０３に格納されている制御プログラムと同様な制御プログラム（消防法等に関連する情報を検索する制御プログラム）を記憶している記憶部である。
【０２４７】
また、ユーザ登録プログラム記憶部７４４は、型式失効消防用品判別装置３００に設けられている第２の検定番号記憶部３０５、法令検索装置４００に設けられている文言記憶部４０５等に記憶されている情報を含む情報であって、ユーザが入力する情報を、ユーザ登録情報として、物件情報記憶部７２４に登録（記憶）する制御プログラムを記憶している記憶部である。
【０２４８】
また、型式失効消防用品登録プログラム記憶部７４５は、インターネットＩＮＴを介したオペレータからのアクセスによって、検定番号記憶部７２１の情報を書き換える制御プログラムを記憶している記憶部である。
【０２４９】
また、法令登録プログラム記憶部７４６は、インターネットＩＮＴを介したオペレータからのアクセスによって、消防法関連法令等記憶部７２３の情報を書き換える制御プログラムを記憶している記憶部である。
【０２５０】
また、点検予告プログラム記憶部７４７は、物件情報記憶部７２４の情報と、日時データとを対比して、消防用品の点検予告通知を発生する制御プログラムを記憶している記憶部である。
【０２５１】
また、ユーザ通知プログラム記憶部７４８は、ユーザヘ通知すべき情報が発生した際に、物件情報記憶部７２４に記憶されているユーザ登録情報に基づいて、上記情報を通知処理する制御プログラムを記憶している記憶部である。
【０２５２】
次に、処理装置７００の動作について説明する。
【０２５３】
まず、インターネットＩＮＴを介し、端末ＰＣ１、ＰＣ２を用いて、ユーザが処理装置７００にアクセスした場合の動作について説明する。
【０２５４】
ユーザが処理装置７００にアクセスした場合、処理装置７００は、ユーザ接続プログラム記憶部７４１から制御プログラムを読み出して実行する。そして、端末ＰＣ１、ＰＣ２に初期画面（図示せず）を表示させる。
【０２５５】
この初期画面に顕われているボタン（図示せず）を押し下げる（クリックする）ことによって、「型式失効消防用品検索」、「法令検索」、「ユーザ登録」のうちのいずれかの動作を、上記ユーザが選択する。
【０２５６】
そして、上記ユーザの選択した動作に応じた制御プログラムが、型式失効消防用品検索プログラム記憶部７４２、法令検索プログラム記憶部７４３、ユーザ登録プログラム記憶部７４４のうちのいずれかの記憶部から読み出され、この読み出された制御プログラムを、処理装置７００が実行する。
【０２５７】
なお、上記各制御プログラムを実行し、動作が終了したときには、ユーザ接続プログラム記憶部７４１から制御プログラムを呼出して、端末ＰＣ１、ＰＣ２に初期画面（図示せず）を表示させる動作を再び実行する。そして、上記初期画面に配置されている終了ボタン（図示せず）を、上記ユーザが押し下げた（クリックした）場合、上記ユーザによるアクセスが終了し、処理装置７００が動作を終了する。
【０２５８】
次に、上記初期画面において、「型式失効消防用品検索」の動作が選択された場合、型式失効消防用品検索プログラム記憶部７４２に記憶されている制御プログラムに基づき、第１の実施例と同様に、図４、図５に示すフローチャートの動作（消防用品が型式失効しているか否かを判別し、型式失効している場合の対応策を実行する動作）を、処理装置７００が実行する。
【０２５９】
すなわち、図６、図７に示す画面（型式失効しているか否かの判別対象となる消防用品の検定番号を入力すべき旨等を表わす画面）を、処理装置７００が、ユーザの端末ＰＣ１等に表示させる。
【０２６０】
続いて、上記型式失効消防用品検索の動作が終了したときには、ユーザ接続プログラム記憶部７４１に記憶されている制御プログラムに基づく初期画面を、処理装置７００が、端末ＰＣ１等に表示させる。
【０２６１】
また、上記初期画面において「法令検索」の動作が選択された場合、法令検索プログラム記憶部７４３に記憶されている制御プログラムに基づき、第２の実施例と同様に、図１１に示すフローチャートの動作（消防法等の法令を、キーワードを用いて検索する動作）を、処理装置７００が実行する。
【０２６２】
すなわち、図１２に示す画面（キーワードを入力すべき旨等を表わす画面）を、処理装置７００が、ユーザの端末ＰＣ１等に表示させる。
【０２６３】
続いて、上記法令検索の動作が終了したときには、ユーザ接続プログラム記憶部７４１に記憶されている制御プログラムに基づく初期画面を、処理装置７００が、端末ＰＣ１等に表示させる。
【０２６４】
また、上記初期画面において「ユーザ登録」の動作が選択された場合、ユーザ登録プログラム記憶部７４４に記憶されている制御プログラムを、処理装置７００が実行する。そして、図３１に示すテーブルＴＢ７０１の各行に対応する入力項目（図示しない検定番号、キーワード、有効期限を含む）を、ユーザが入力すべき旨を示す入力画面（図示せず）を、処理装置７００が、ユーザの端末ＰＣ１等に表示させる。
【０２６５】
続いて、端末ＰＣ１、ＰＣ２に表示された入力画面の各入力項目を上記ユーザが入力し、登録ボタン（図示せず）を、上記ユーザが押し下げる（クリックする）と、上記入力された内容を、物件情報記憶部７２４に格納する。
【０２６６】
そして、物件情報記憶部７２４に格納した内容について、上記ユーザに確認をとる確認画面（図示せず）を、上記ユーザの端末ＰＣ１、ＰＣ２に表示させる。
【０２６７】
上記確認画面に終了ボタン（図示せず）を配置し、上記ユーザが、上記終了ボタンを押し下げる（クリックする）ことによって、ユーザ登録プログラム記憶部７４４から読み出し実行した制御プログラムが終了し、ユーザ接続プログラム記憶部７４１に記憶されている制御プログラムに基づく初期画面を、処理装置７００が、端末ＰＣ１等に表示させる。
【０２６８】
なお、上記確認画面において、ユーザを簡便に識別するために用いるユーザＩＤやパスワードを入力し、この入力したユーザＩＤ等を用いて、以後の同一ユーザからの接続（アクセス）を簡便ならしめるとともに、上記ユーザＩＤ等を用いて、登録情報の確認・書換えの際に、上記ユーザを識別できるようにしてもよい。
【０２６９】
なお、ユーザ接続プログラム記憶部７４１、型式失効消防用品検索プログラム記憶部７４２、法令検索プログラム記憶部７４３およびユーザ登録プログラム記憶部７４４に記憶されている制御プログラムは、ユーザが処理装置７００にアクセスした際に、処理装置７００において動作する制御プログラムである。
【０２７０】
次に、インターネットＩＮＴを介して、端末ＰＣ１、ＰＣ２を用い、オペレータが処理装置７００にアクセスする場合について説明する。
【０２７１】
オペレータによるアクセスの目的は、検定番号記憶部７２１または消防法関連法令等記憶部７２３に記憶されている内容を書き換えることである。
【０２７２】
オペレータが、処理装置７００にアクセスした場合、型式失効消防用品登録プログラム記憶部７４５または法令登録プログラム記憶部７４６から制御プログラムをダイレクトに読み出し、この読み出した制御プログラムを、処理装置７００が実行する。
【０２７３】
なお、ユーザ接続プログラム記憶部７４１に基づく初期画面に、オペレータが暗証番号等を入力することによって、上記制御プログラムの動作に入るようにしてもよい。
【０２７４】
また、上記制御プログラムを実行した結果に基づいて、後述するユーザ通知プログラム記憶部７４８に記憶されている制御プログラムを、処理装置７００が実行する。
【０２７５】
まず、検定番号記憶部７２１に記憶されている内容を、オペレータが書換える場合の処理装置７００の動作について説明する。
【０２７６】
オペレータが、検定番号記憶部７２１に記憶されている内容を書換える場合、型式失効消防用品登録プログラム記憶部７４５に記憶されている制御プログラムに基づき、図１５のフローチャートに示す動作のうちで、ステップＳ３０６〜Ｓ３０９の動作（型式失効している消防用品の検定番号を書き換える動作）を、処理装置７００が実行する。
【０２７７】
すなわち、検定番号記憶部７２１が記憶している内容を、処理装置７００が、オペレータの端末ＰＣ１、ＰＣ２に表示させる。そして、オペレータは、端末ＰＣ１等を用いて、検定番号記憶部７２１が記憶している内容に新たな型式失効消防用品を追加し、または、検定番号記憶部７２１が記憶している内容を更新することによって、検定番号記憶部７２１が記憶している内容を書き換える。
【０２７８】
そして、上記オペレータによる書き換えが終了した場合、検定番号記憶部７２１が記憶している検定番号と、物件情報記憶部７２４（型式失効消防用品判別装置３００に設けられている第２の記憶部３０５に相当する記憶部）が記憶している検定番号とを照合する。
【０２７９】
この照合は、物件情報記憶部７２４に記憶されている検定番号と同じ検定番号が、検定番号記憶部７２１に記憶されているか否かを検索することによって行われる。
【０２８０】
そして、上記照合によって得られた検定番号（物件情報記憶部７２４に記憶され、かつ、検定番号記憶部７２１に記憶されている検定番号）を、物件情報記憶部７２４に登録されているユーザごとに整理する、そして、この整理した照合結果に基づいて、上記ユーザが所有する物件に設置されている消防用品等が型式失効している旨の通知である型式失効通知を作成し、この作成した型式失効通知を上記ユーザに通知する。
【０２８１】
なお、上記型式失効通知を作成し通知する場合には、型式失効消防用品登録プログラム記憶部７４５から読み出された制御プログラムに代えて、ユーザ通知プログラム記憶部７４８に記憶されている制御プログラムを、処理装置７００が読み出し実行する。
【０２８２】
すなわち、ユーザ通知プログラム記憶部７４８に記憶されている制御プログラムに基づいて、上記型式失効通知を作成し、この作成した型式失効通知を、物件情報記憶部７２４に登録されているユーザ情報（電子メールアドレス）を用いて、上記ユーザに送信する。
【０２８３】
続いて、上記送信後、処理装置７００は動作を終了する。
【０２８４】
次に、消防法関連法令等記憶部７２３に記憶されている内容を書き換える場合の処理装置７００の動作について説明する。
【０２８５】
オペレータが、消防法関連法令等記憶部７２３に記憶されている内容を書換える場合、法令登録プログラム記憶部７４６に記憶されている制御プログラムに基づき、図１９のフローチャートに示す動作のうちで、ステップＳ４０６〜Ｓ４０９に示す動作（法令等を書き換える動作）を実行する。
【０２８６】
すなわち、消防法関連法令等記憶部７２３が記憶している内容を、処理装置７００が、オペレータの端末ＰＣ１、ＰＣ２に表示させる。そして、オペレータは、端末ＰＣ１等を用いて、法令の改正や新たな通達等の法令に関する情報を追加すること等によって、消防法関連法令等記憶部７２３が記憶している内容を書き換える。
【０２８７】
そして、上記オペレータによる書き換えが終了した場合、消防法関連法令等記憶部７２３が記憶している文言と、物件情報記憶部７２４（法令検索装置４００に設けられている文言記憶部４０５に相当する記憶部）が記憶している文言とを、処理装置７００が照合する。
【０２８８】
この照合は、物件情報記憶部７２４に記憶されている文言と同じ文言が、消防法関連法令等記憶部７２３に、新たに記憶されたか否かを検索することによって行われる。
【０２８９】
そして、上記照合結果を、物件情報記憶部７２４に登録されているユーザごとに整理する。そして、この整理した照合結果に基づいて、上記ユーザが示すキーワードに関する法令を表わした通知である法令通知を作成し、この作成した法令通知を上記ユーザに通知する。
【０２９０】
なお、上記法令通知を作成し通知する場合には、法令登録プログラム記憶部７４６から読み出された制御プログラムに代えて、ユーザ通知プログラム記憶部７４８に記憶されている制御プログラムを、処理装置７００が読み出し実行する。
【０２９１】
すなわち、ユーザ通知プログラム記憶部７４８に記憶されている制御プログラムに基づいて、上記法令通知を作成し、この作成した法令通知を、物件情報記憶部７２４に登録されているユーザの情報（電子メールアドレス）を用いて、上記ユーザに送信する。
【０２９２】
続いて、上記送信後、処理装置７００は動作を終了する。
【０２９３】
なお、ユーザに通知する上記法令通知の内容は、条文名等の簡便なもので足りる。また、上記法令通知の詳細をユーザ知りたい場合には、上記ユーザは、処理装置７００に別途アクセスし、法令検索プログラム記憶部７４２に記憶されている制御プログラムを、処理装置７００に実行させ、上記法令通知の詳細を、ＰＣ１等に表示させればよい。
【０２９４】
なお、型式失効消防用品登録プログラム記憶部７４５、法令登録プログラム記憶部７４６に記憶されている制御プログラムは、オペレータが処理装置７００にアクセスしたときに動作するプログラムである。
【０２９５】
次に、処理装置７００が、消防用品の点検時期を、自動的にユーザに通知する場合の動作について説明する。
【０２９６】
点検予告プログラム記憶部７４５に記憶されている制御プログラムは、処理装置７００に設けられている時計手段（図示せず）に基づいて、定期的に実行されるプログラムである。
【０２９７】
点検予告プログラム記憶部７４５に記憶されている制御プログラムに基づき、図３１のテーブルＴＢ７０１に示すユーザ登録情報のなかから点検時期（消防用品の有効期間の減算を開始する時期）を読出し、所定の点検期間（たとえば５ヶ月）を上記読み出した点検時期に加える。そして、時計手段が求めた現在の日付と、上記点検期間が加えられた点検時期とが一致するときに、上記ユーザ登録情報に登録されているユーザに対して送信する点検通知であって、消防設備を点検すべき旨の通知である点検通知を作成する。
【０２９８】
そして、総ての各ユーザ登録情報について、上記点検通知を作成し、ユーザ通知プログラム記憶部７４８に記憶されている制御プログラムを読み出し、物件情報記憶部７２４に登録されているユーザの情報（電子メールアドレス）を用いて、上記各点検通知を上記各ユーザに送信する。
【０２９９】
上記送信後、処理装置７００は動作を終了する。
【０３００】
上記点検予告プログラム記憶部７４７に記憶されている制御プログラムは、処理装置７００が、消防用品の点検時期を、自動的にユーザに対して予告するプログラムである。
【０３０１】
なお、物件情報記憶部７２４に登録されている上記点検時期は、自動的には更新されないので、点検通知を受けたユーザは、この通知に基づいて点検を実行した後に、ユーザ登録プログラム記憶手段７４４に記憶されている制御プログラムを実行し、物件情報記憶部７２４に登録されている点検時期を更新する必要がある。
【０３０２】
また、上記所定の点検期間を正の整数倍し、この正の整数倍した点検期間を上記点検時期に加えて、複数の点検時期を求め、これらの求めた複数の点検時期と時計手段が求めた現在の日付とが一致するか否かを判断するようにすれば、点検時期をユーザに予告する日付を複数用意することができ、ユーザが上記点検時期を更新する手間を省くことができる。
【０３０３】
このような処理装置７００が格納している各動作プログラムおよび各記憶部の関係を図３２に表す。
【０３０４】
すなわち、ユーザがアクセスするときは、ユーザ接続プログラム７４１を介して型式失効消防用品検索プログラム７４２、法令検索プログラム７４３およびユーザ登録プログラム７４４を用いることができ、ユーザ登録プログラム７４４では、ユーザ側からの情報として、物件情報記憶部７２４に格納する。物件情報記憶部７２４内の情報は、オペレータ側が型式失効消防用品登録プログラム７４５または法令登録プログラム７４６を用いて検定番号記憶部７２１または法令等記憶部７２３にデータ設定が行われるときに参照され、データや情報に応じてユーザへの通知が発生すると、ユーザ通知プログラム７４８によってユーザに電子メール等によって通知を発信する。
【０３０５】
またオペレータ側は、型式失効消防用品登録プログラム７４５または法令登録プログラム７４６を用いて検定番号記憶部７２１または法令等記憶部７２３にデータ設定を行い、それによる検定番号記憶部７２１または法令等記憶部７２３のデータを利用して、ユーザが型式失効消防用品検索プログラム７４２または法令検索プログラム７４３を用いることができる。このように、第７の実施例は、各記憶部を介してユーザ側の情報やオペレータ側のデータが設定または参照されるようになっている。
【０３０６】
以上のような、第７の実施例は、上記第１から第６の実施例を組合せて用いている場合であり、各制御プログラムの詳細について上記各実施例の説明が適用できることは勿論であり、制御プログラムとして引用していない実施例の制御プログラムを用いることも可能である。
【０３０７】
また、各実施例の法令検索システムＳＳ２、ＳＳ４およびユーザ支援システムＵＳ７について、消防法関係の法令について説明したが、それ以外の例えば、教育法関係や環境法関係、介護法関係等であってもよい。
【０３０８】
なお、上記各実施例をプログラムまたは記録媒体として把握することができる。上記各実施例において、プログラムをまたは記録媒体に格納されているプログラムを、上記型式失効消防用品判別装置、法令検索装置、消防用品の有効期限算出装置に供給することによって、上記各装置が動作する。
【０３０９】
上記第１の実施例は、所定の検定番号を入力する検定番号入力手順と、上記検定番号入力手順において入力された検定番号と、特定用途防火対象物に設置されると型式承認の効力を失う消防用品に付与されている検定番号を記憶する検定番号記憶手段に記憶された検定番号とを照合する検定番号照合手順と、上記検定番号照合手順で照合した照合結果を出力する照合結果出力手順とをコンピュータに実行させるプログラムの例であり、また、このプログラムを記憶したコンピュータ読み取り可能な記憶媒体の例である。
【０３１０】
また、上記第１の実施例は、所定の特定用途防火対象物の種別と面積と、所定の検定番号とを入力する種別・面積・検定番号入力手順と、上記種別・面積・検定番号入力手順において入力された所定の防火対象物の種別と面積との組合せが、所定の特定用途防火対象物の種別と面積とを記憶する特定用途防火対象物用種別面積記憶手段に記憶された種別と面積との組合せに含まれており、上記種別・面積・検定番号入力手順において入力された所定の検定番号が、特定用途防火対象物に設置されると型式承認の効力を失う消防用品に付与されている検定番号を記憶する検定番号記憶手段に記憶された検定番号に含まれている場合、上記入力された種別と面積とに対応する防火対象物に設置されている消防用品であって、上記入力された検定番号に対応する消防用品の型式承認が失効すると判別する型式承認失効判別手順と、上記型式承認失効判別手順で判別した結果を出力する判別結果出力手順とをコンピュータに実行させるプログラムの例であり、また、このプログラムを記憶したコンピュータ読み取り可能な記憶媒体の例である。
【０３１１】
上記第２の実施例は、所定の文言を入力する文言入力手順と、消防法、消防法に関する法令、これらの法令に関する情報のうちの少なくとも１つを記憶する記憶手段に記憶した情報のなかから、上記文言入力手順で入力した所定の文言と関係のある情報を検索する検索手順と、上記検索手順で検索した結果を出力する検索結果出力手順とをコンピュータに実行させるプログラムの例であり、また、このプログラムを記憶したコンピュータ読み取り可能な記憶媒体の例である。
【０３１２】
上記第３の実施例は、特定用途防火対象物に設置されると、型式承認の効力を失う消防用品に付与されている検定番号を記憶する第１の検定番号記憶手段に記憶した検定番号を書き換える検定番号書き換え手順と、入力された検定番号を記憶する第２の検定番号記憶手段に、所定の検定番号を入力する検定番号入力手順と、上記検定番号書き換え手順で、上記第１の検定番号記憶手段に記憶した検定番号を書き換えた場合、上記書き換えられた検定番号と、上記第２の検定番号記憶手段に記憶した検定番号とを照合する検定番号照合手順と、上記検定番号照合手順で照合した照合結果を出力する照合結果出力手順とをコンピュータに実行させるプログラムの例であり、また、このプログラムを記憶したコンピュータ読み取り可能な記憶媒体の例である。
【０３１３】
上記第４の実施例は、消防法、消防法に関する法令、これらの法令に関する情報のうちで、少なくとも１つを記憶する情報記憶手段に記憶した情報を書き換える情報書き換え手順と、入力された文言を記憶する文言記憶手段に、所定の文言を入力する文言入力手順と、上記情報書き換え手順で、上記情報記憶手段に記憶した情報を書き換えた場合、上記文言記憶手段に記憶した文言と関係のある情報を、上記書き換えられた情報のなかから検索する情報検索手順と、上記情報検索手順で検索した結果を出力する検索結果出力手順とをコンピュータに実行させるプログラムの例であり、また、このプログラムを記憶したコンピュータ読み取り可能な記憶媒体の例である。
【０３１４】
上記第５の実施例は、所定の検定番号と、この所定の検定番号に対応する消防用品の有効期間の減算を開始する時期とを入力する入力手順と、上記入力手順において入力された所定の検定番号に対応する消防用品の有効期間を、消防用品の検定番号とこの消防用品の有効期間とを対応付けて記憶する記憶手段に記憶した有効期間のなかから読み出して、この読み出した有効期間と、上記入力手順において入力された上記減算を開始する時期とを用いて、上記入力手順において入力された所定の検定番号に対応する消防用品の有効期限を算出する有効期限算出手順と、上記有効期限算出手順で算出した結果を出力する算出結果出力手順とをコンピュータに実行させるプログラムの例であり、また、このプログラムを記憶したコンピュータ読み取り可能な記憶媒体の例である。
【０３１５】
また、上記第５の実施例は、所定の検定番号と、この所定の検定番号に対応する消防用品の有効期間の減算を開始する時期とを入力する入力手順と、上記入力手順において入力された所定の検定番号に対応する消防用品の有効期間を、消防用品の検定番号とこの消防用品の有効期間とを対応付けて記憶する記憶手段に記憶した有効期間のなかから読み出して、この読み出した有効期間と、上記入力手順において入力された上記減算を開始する時期とを用いて、上記入力手順において入力された所定の検定番号に対応する消防用品の有効期限を算出する有効期限算出手順と、上記有効期限算出手順で算出した有効期限から所定の期間遡った点検時期を算出する点検時期算出手順と、上記点検時期算出手順で算出した点検時期を点検時期記憶手段に記憶して、上記点検時期記憶手段に記憶した点検時期が到来したことを検知した場合、上記入力手順において入力された所定の検定番号に対応する消防用品を点検すべき旨を出力する出力手順とをコンピュータに実行させるプログラムの例であり、また、このプログラムを記憶したコンピュータ読み取り可能な記憶媒体の例である。
【０３１６】
また、上記第５の実施例は、所定の検定番号と、上記所定の検定番号に対応する消防用品の有効期間の減算を開始する時期とを入力する入力手順と、上記入力手順において入力された所定の検定番号に対応する消防用品の有効期間を、消防用品の検定番号とこの消防用品の有効期間とを対応付けて記憶する記憶手段に記憶した有効期間のなかから読み出して、この読み出した有効期間と、上記入力手順において入力された上記減算を開始する時期とを用いて、上記入力手順において入力された所定の検定番号に対応する消防用品の有効期限を算出する有効期限算出手順と、上記有効期限算出手順で算出した有効期限を有効期限記憶手段に記憶して、上記有効期限記憶手段に記憶した有効期限から所定の期間遡った点検時期が到来したことを検知した場合、上記入力手順において入力された所定の検定番号に対応する消防用品を点検すべき旨を出力する出力手順とをコンピュータに実行させるプログラムの例であり、また、このプログラムを記憶したコンピュータ読み取り可能な記憶媒体の例である。
【０３１７】
上記第６の実施例は、所定の検定番号を入力する検定番号入力手順と、上記検定番号入力手順において入力された所定の検定番号と、特定用途防火対象物に設置されると型式承認の効力を失う消防用品に付与されている検定番号とこの消防用品を代替品に交換しなければならない期間の終期とを対応付けて記憶する記憶手段に記憶された検定番号とを照合する検定番号照合手順と、上記検定番号照合手順で照合した結果、上記検定番号入力手順において入力された所定の検定番号と同一の検定番号が、上記記憶手段に記憶されている場合、上記同一の検定番号に対応する期間の終期を上記記憶手段に記憶した終期のなかから読み出して出力する期間の終期出力手順とをコンピュータに実行させるプログラムの例であり、また、このプログラムを記憶したコンピュータ読み取り可能な記憶媒体の例である。
【０３１８】
また、上記第６の実施例は、所定の検定番号を入力する検定番号入力手順と、上記検定番号入力手順において入力された所定の検定番号と、特定用途防火対象物に設置されると型式承認の効力を失う消防用品に付与されている検定番号とこの消防用品を代替品に交換しなければならない期間の終期とを対応付けて記憶する第１の記憶手段に記憶された検定番号とを照合する検定番号照合手順と、上記検定番号照合手順で照合した結果、上記検定番号入力手順において入力された所定の検定番号と同一の検定番号が、上記第１の記憶手段に記憶されている場合、上記同一の検定番号に対応する期間の終期を上記第１の記憶手段に記憶した終期のなかから読み出して、この読み出した終期から所定の期間遡った時期を算出する時期算出手順と、上記時期算出手順で算出した時期を第２の記憶手段に記憶して、上記第２の記憶手段に記憶した時期が到来したことを検知した場合、上記検定番号入力手順において入力された所定の検定番号に対応する消防用品を、代替品に交換すべき旨を出力する出力手順とをコンピュータに実行させるプログラムの例であり、また、このプログラムを記憶したコンピュータ読み取り可能な記憶媒体の例である。
【０３１９】
また、上記第６の実施例は、所定の検定番号を入力する検定番号入力手順と、上記検定番号入力手順において入力された所定の検定番号と、特定用途防火対象物に設置されると型式承認の効力を失う消防用品に付与されている検定番号とこの消防用品を代替品に交換しなければならない期間の終期とを対応付けて記憶する第１の記憶手段に記憶された検定番号とを照合する検定番号照合手順と、上記検定番号照合手順で照合した結果、上記検定番号入力手順において入力された所定の検定番号と同一の検定番号が、上記第１の記憶手段に記憶されている場合、上記同一の検定番号に対応する期間の終期を上記第１の記憶手段に記憶した終期のなかから読み出して、この読み出した終期を第２の記憶手段に記憶して、上記第２の記憶手段に記憶した終期から所定の期間遡った時期が到来したことを検知した場合、上記検定番号入力手順において入力された所定の検定番号に対応する消防用品を、代替品に交換すべき旨を出力する出力手順とをコンピュータに実行させるプログラムの例であり、また、このプログラムを記憶したコンピュータ読み取り可能な記憶媒体の例である。
【０３２０】
なお、上記記録媒体として、フロッピーディスク、ＣＤ、ＤＡＴ、ＤＶＤ、ハードディスク、半導体メモリ等が考えられる。
【０３２１】
【発明の効果】
本発明によれば、消防用品に関する調査を迅速に行うことができるという効果を奏する。
【図面の簡単な説明】
【図１】本発明の第１の実施例である型式失効消防用品判別システムＤＳ１の構成を示すブロック図である。
【図２】所定の検定番号を付与されている消防用品が、型式失効しているか否か等の情報を表わしているテーブルＴＢ１０１を示す図である。
【図３】建物が特定用途防火対象物である条件を表わしているテーブルＴＢ１０２を示す図である。
【図４】型式失効消防用品判別装置１００の動作を示すフローチャートである。
【図５】型式失効消防用品判別装置１００の動作を示すフローチャートである。
【図６】型式失効消防用品判別装置１００が動作する場合、型式失効消防用品判別装置１００に設けられているＬＣＤ１０８に表示される画面を示す図である。
【図７】型式失効消防用品判別装置１００が動作する場合、型式失効消防用品判別装置１００に設けられているＬＣＤ１０８に表示される画面を示す図である。
【図８】型式失効消防用品判別装置１００が動作する場合、型式失効消防用品判別装置１００に設けられているＬＣＤ１０８に表示される画面を示す図である。
【図９】本発明の第２の実施例である法令検索システムＳＳ２の構成を示すブロック図である。
【図１０】法令名、法令の施行者、条項、本文等を表わしているテーブルＴＢ２０１を示す図である。
【図１１】法令検索装置２００の動作を示すフローチャートである。
【図１２】法令検索装置２００が動作する場合、法令検索装置２００に設けられているＬＣＤ１０８に表示される画面を示す図である。
【図１３】本発明の第３の実施例である型式失効消防用品判別システムＤＳ３の構成を示すブロック図である。
【図１４】型式失効している消防用品若しくは型式失効する消防用品に付与されている検定番号を表わすテーブルＴＢ３０１と、調査対象である消防用品に付与されている検定番号を表わすテーブルＴＢ３０２とを示す図である。
【図１５】型式失効消防用品判別装置３００の動作を示すフローチャートである。
【図１６】型式失効消防用品判別装置３００が動作する場合、失効設備判別装置３００に設けられているＬＣＤ１０８に表示される画面を示す図である。
【図１７】本発明の第４の実施例である法令検索システムＳＳ４の構成を示すブロック図である。
【図１８】法令の施行者、条項、本文等を表わしているテーブルＴＢ４０１を示す図である。
【図１９】法令検索装置４００の動作を示すフローチャートである。
【図２０】法令検索装置４００が動作する場合、法令検索装置４００に設けられているＬＣＤ１０８に表示される画面を示す図である。
【図２１】法令検索装置４００が動作する場合、法令検索装置４００に設けられているＬＣＤ１０８に表示される画面を示す図である。
【図２２】本発明の第５の実施例である消防用品の有効期限算出システムＣＳ５の構成を示すブロック図である。
【図２３】消防用品の検定番号、消防用品の有効期間等を表わしているテーブルＴＢ５０１を示す図である。
【図２４】消防用品の有効期限算出装置５００の動作を示すフローチャートである。
【図２５】消防用品の有効期限算出装置５００が動作する場合、消防用品の有効期限算出装置５００に設けられているＬＣＤ１０８に表示される画面を示す図である。
【図２６】本発明の第６の実施例である型式失効消防用品判別システムＤＳ６の構成を示すブロック図である。
【図２７】消防用品の検定番号、消防用品の交換期間の終期を表わしているテーブルＴＢ６０１を示す図である。
【図２８】型式失効消防用品判別装置６００の動作を示すフローチャートである。
【図２９】型式失効消防用品判別装置６００が動作する場合、型式失効消防用品判別装置６００に設けられているＬＣＤ１０８に表示される画面を示す図である。
【図３０】本発明の第７の実施例であるユーザ支援システムＵＳ７の構成を示すブロック図である。
【図３１】ユーザ登録情報を表わしているテーブルＴＢ７０１を示す図である。
【図３２】処理装置７００が格納している各動作プログラムと処理装置７００が具備する記憶部との関係を示す図である。
【符号の説明】
ＤＳ１、ＤＳ３、ＤＳ６…型式失効消防用品判別システム、
ＳＳ２、ＳＳ４…法令検索システム、
ＣＳ５…消防用品の有効期限算出システム、
ＵＳ７…ユーザ支援システム、
１００、３００、６００…型式失効消防用品判別装置、
２００、４００…法令検索装置、
５００…消防用品の有効期限算出装置、
７００…処理装置、
１０１、２０１、３０１、４０１、５０１、６０１、７０１…ＣＰＵ、
１０３、２０３、３０３、４０３、５０３、６０３…ＲＯＭ、
１０４、７２１…検定番号記憶部、
１０５、７２２…特定用途防火対象物用種別・面積記憶部、
２０４、７２３…消防法関連法令記憶部、
３０４…第１の検定番号記憶部、
３０５…第２の検定番号記憶部、
４０４…情報記憶部、
４０５…文言記憶部、
５０４…検定番号・有効期間記憶部、
６０４…検定番号・交換の終期記憶部、
７０３…ハードディスク、
７２４…物件情報記憶部、
７４１…ユーザ接続プログラム記憶部、
７４２…型式失効消防用品検索プログラム記憶部、
７４３…法令検索プログラム記憶部、
７４４…ユーザ登録プログラム記憶部、
７４５…型式失効消防用品登録プログラム記憶部、
７４６…法令登録プログラム記憶部、
７４７…点検予告プログラム記憶部、
７４８…ユーザ通知プログラム記憶部、
１０６…キーボード、
１０７…マウス、
１０８…ＬＣＤ、
１０９…プリンタ、
ＩＮＴ…インターネット、
ＰＣ１、ＰＣ２…端末。
【図１】
0004442849.tif 000002
【図２】
0004442849.tif 000003
【図３】
0004442849.tif 000004
【図４】
0004442849.tif 000005
【図５】
0004442849.tif 000006
【図６】
0004442849.tif 000007
【図７】
0004442849.tif 000008
【図８】
0004442849.tif 000009
【図９】
0004442849.tif 000010
【図１０】
0004442849.tif 000011
【図１１】
0004442849.tif 000012
【図１２】
0004442849.tif 000013
【図１３】
0004442849.tif 000014
【図１４】
0004442849.tif 000015
【図１５】
0004442849.tif 000016
【図１６】
0004442849.tif 000017
【図１７】
0004442849.tif 000018
【図１８】
0004442849.tif 000019
【図１９】
0004442849.tif 000020
【図２０】
0004442849.tif 000021
【図２１】
0004442849.tif 000022
【図２２】
0004442849.tif 000023
【図２３】
0004442849.tif 000024
【図２４】
0004442849.tif 000025
【図２５】
0004442849.tif 000026
【図２６】
0004442849.tif 000027
【図２７】
0004442849.tif 000028
【図２８】
0004442849.tif 000029
【図２９】
0004442849.tif 000030
【図３０】
0004442849.tif 000031
【図３１】
0004442849.tif 000032
【図３２】
0004442849.tif 000033